(57)【要約】      （修正有）【課題】ウェハなどの試料の欠陥を検出する検査速度を向上させる。【解決手段】電子ビームを検査試料に照射する一次電子光学系と、ウェハから放出された二次ビームを検出器に入射する二次光学系と、検出器と、検出器を制御するための制御装置とを備えた、電子線検査装置において、電子線検査装置は、一次コラム、二次コラムおよびチャンバーを有し、一次コラムには、電子銃、一次電子光学系が配置されており、チャンバーには、ステージが設置され、その上に試料が載置されており、二次コラムには、光軸上に、カソードレンズ、ニューメニカルアパーチャ、ウィーンフィルタ、第２レンズ、フィールドアパーチャ、第３レンズ、第４レンズおよび検出器が配置されており、開口部が電子ビームの集束位置およびカソードレンズの焦点位置になるように配置されて、カソードレンズと前記ニューメニカルアパーチャとは、テレセントリックな電子光学系を構成している。【選択図】図１
2011142090.tif 000002
【特許請求の範囲】
【請求項１】
電子銃から放出された電子ビームを検査されるべき試料に照射する一次電子光学系と、
ウェハから放出された二次ビームを検出器に入射する二次光学系と、
二次ビームを検出する検出器と、
検出器を制御するための制御装置とを備えた、電子線検査装置において、
前記電子線検査装置は、一次コラム、二次コラムおよびチャンバーを有しており、
前記一次コラムの内部には、前記電子銃が設けられており、該電子銃から照射された前記電子ビームの光軸上に前記一次電子光学系が配置されており、
前記チャンバーの内部には、ステージが設置され、該ステージ上には前記試料が載置されており、
前記二次コラムの内部には、前記試料から発生する二次ビームの光軸上に、カソードレンズ、ニューメニカルアパーチャ、ウィーンフィルタ、第２レンズ、フィールドアパーチャ、第３レンズ、第４レンズおよび検出器が配置されており、
開口部が前記電子ビームの集束位置およびカソードレンズの焦点位置になるように配置されて、前記カソードレンズと前記ニューメニカルアパーチャとは、テレセントリックな電子光学系を構成していることを特徴とする電子線検査装置。
【請求項２】
請求項１に記載の電子線検査装置において、
前記ニューメニカルアパーチャは、円形の穴が開いた金属製の薄板からなる開口絞りを構成していることを特徴とする電子線検査装置。
【請求項３】
請求項１又は２に記載の電子線検査装置を使用して、半導体ウェハの表面の欠陥を検査するウェハ欠陥検査装置。
【発明の詳細な説明】
【技術分野】
【０００１】
本発明は、電子ビームを用いてウェーハなどの検査対象の表面に形成されたパターンの欠陥等を検査する検査装置に関し、詳しくは、半導体製造工程におけるウェーハの欠陥を検出する場合のように、電子ビームを検査対象に照射してその表面の性状に応じて変化する二次電子量から画像データを形成し、その画像データに基づいて検査対象の表面に形成されたパターン等を高いスループットで検査する検査装置、検査方法、並びにそのような検査装置を用いて歩留まり良くデバイスを製造するデバイス製造方法に関する。
【背景技術】
【０００２】
半導体プロセスにおいて、デザインルールは１００ｎｍの時代を迎えようとしており、また生産形態はＤＲＡＭに代表される少品種大量生産からＳＯＣ（Ｓｉｌｉｃｏｎ  ｏｎ  ｃｈｉｐ）のように多品種少量生産へ移行しつつある。それに伴い、製造工程数が増加し、各工程毎の歩留まり向上は必須となり、プロセス起因の欠陥検査が重要になってきている。従来より、半導体プロセスにおける各工程後にウェーハの欠陥検査が行われている。そして、半導体デバイスの高集積化、パターンの微細化に伴い、高分解能、高スループットの欠陥検査装置が要求されている。というのは、１００ｎｍデザインルールのウェーハ一基板の欠陥を調べるためには、１００ｎｍ以下の分解能が必要だからである。また、半導体デバイスの高集積化による製造工程の増加により、検査量が増大するため、高スループットが要求されるからである。さらに、半導体デバイスの多層化が進むにつれて、層間の配線をつなぐビアのコンタクト不良（電気的欠陥）を検出する機能も、欠陥検査装置に要求されている。
【０００３】
この種の欠陥検査装置としては、従来より、光方式の欠陥検査装置が使用されている。しかしならが、光方式の欠陥検査装置においては、その分解能は使用する光の波長の１／２が限界であり、実用化されている可視光の例では０．２μｍ程度である。このように、光方式の欠陥検査装置においては、分解能が要求に追いつかないという問題点があった。さらに、光方式の欠陥検査装置では、半導体ウェーハに生じた電気的な導通不良（オープン、ショート不良など）、すなわち、コンタクト不良検査をすることができなかった。
【０００４】
そこで、最近、光方式の欠陥検査装置に代わって電子ビームを用いた欠陥検査装置が開発されてきている。
かかる電子ビーム方式欠陥検査装置では、通常、走査型電子ビーム方式（ＳＥＭ方式）が実用化されており、その分解能は０．１μｍと比較的に高くなっており、電気的欠陥（配線の断線、導通不良、ビアの導通不良等）も検査可能となっている。しかし、ＳＥＭを応用した欠陥検査装置では、ビーム電流量と検出器の応答速度に限界があり、そのために、欠陥検査に多くの時間を必要としていた。例えば、検査時間には８時間／枚（２０ｃｍウェーハ）も要し、検査時間は非常に長く、スループット（単位時間当たりの検査量）が光方式の欠陥検査装置などの他のプロセス装置に比べて低いという問題点がある。また、電子ビーム方式欠陥検査装置は、非常に高価であるという問題点もある。そのため、半導体製造の各工程の後に使用することは困難な状態にあり、現状では重要な工程の後、例えばエッチング、成膜（銅メッキを含む）、又はＣＭＰ（化学機械研磨）平坦化処理後等に使用されている。
【０００５】
このような走査型電子ビーム方式（ＳＥＭ方式）を用いた欠陥検査装置を更に説明すると、かかる欠陥検査装置では、電子ビームを細く絞って（このビーム径が分解能に相当する）これを走査してライン状にウェーハなどの試料を照射する。一方、ウェーハを載置したステージを、電子ビームの走査方向に直角の方向に移動させることにより、ウェーハ上の観察領域を電子ビームで平面状に照射する。電子ビームの走査幅は一般に数１００μｍである。前記細く絞られた電子ビーム（一次電子線と呼ぶ）照射によりウェーハなどの試料から二次電子が発生し、この二次電子を検出器（シンチレータ＋フォトマルチプライヤー（光電子増倍管）又は半導体方式の検出器（ＰＩＮダイオード型）等）で検出する。電子ビームの照射位置の座標と二次電子の量（信号強度）を合成して画像化し、記憶装置に記憶し、あるいはＣＲＴ（ブラウン管）上に画像を出力する。以上はＳＥＭ（走査型電子顕微鏡）の原理であり、この方式で得られた画像から工程途中の半導体（通常はＳｉ）ウェーハの欠陥を検出する。（スループットに相当する）検査速度は、一次電子線の量（電流値）、ビーム径、検出器の応答速度で決まる。ビーム径０．１μｍ（分解能と同じと考えてよい）、電流値１００ｎＡ、検出器の応答速度１００ＭＨｚが現在の最高値となっており、この場合で、上述したように、２０ｃｍ径のウェーハ一枚あたり約８時間の検査時間がかかっている。このように、走査型電子ビーム方式の欠陥検査装置では、検査速度が、光方式の欠陥検査装置などの他のプロセス装置に比べてきわめて遅い（１／２０以下）ことが大きな問題点となっている。
【発明の開示】
【発明が解決しようとする課題】
【０００６】
本発明は、かかる問題点に鑑みなされたもので、ウェーハなどの試料の欠陥を検出する検査速度を向上させることを目的とする。
【課題を解決するための手段】
【０００７】
本発明は、走査型電子ビーム方式（ＳＥＭ方式）の欠点である検査速度を向上する方法として、電子ビームを用いた写像投影方式と呼ばれる方式を利用した欠陥検査装置に係るものである。以下にその写像投影方式について説明をする。
【０００８】
写像投影方式においては、試料の観察領域が一次電子線で一括して照射（走査は行わず一定の面積を照射）され、照射された領域から発生した二次電子をレンズ系により、一括して検出器（マイクロチャンネルプレート＋蛍光板）上に電子線の画像として結像させるようになっている。そして、かかる結像画像が、二次元ＣＣＤ（固体撮像素子）又はＴＤＩ−ＣＣＤ（ラインイメージセンサー)により、電気信号に変換され、画像情報として、ＣＲＴ上に出力され又は記憶装置に記憶される。この画像情報から試料ウェーハ（工程途中の半導体（Ｓｉ）ウェーハ）の欠陥が検出される。ＣＣＤの場合、ステージの移動方向は短軸方向であり（長軸方向でもかまわない）、移動はステップアンドリピート方式である。ＴＤＩ−ＣＣＤの場合のステージ移動は、積算方向に連続移動をする。ＴＤＩ−ＣＣＤでは画像を連続的に取得できるので、欠陥検査を連続で行う場合はＴＤＩ−ＣＣＤを使用する。分解能は結像光学系（二次光学系）の倍率及び精度等できまり、ある実験例では０．０５μｍの分解能が得られている。この実験例において、分解能を０．１μｍとし、一方、電子線照射条件に関して、ウェーハ上の検査領域を２００μｍ×５０μｍとし、一次電子線の量（電流値）を１．６μＡとしたとき、検査時間は２０ｃｍのウェーハ１枚当たり1時間程度であった。すなわち、写像投影方式では、ＳＥＭ方式に比較して８倍の検査速度が得られている。なお、この実験例で使われたＴＤＩ−ＣＣＤの仕様は２０４８画素（ピクセル）×５１２段でラインレートが３．３μｓ（ライン周波数３００ｋＨｚ）であった。
【０００９】
この例の照射面積はＴＤＩ−ＣＣＤの仕様に合わせているが、照射対象物によって、照射面積を変更することもある。
さらに、写像投影方式を用いた電子線検査装置の概要を説明する。
【００１０】
この電子線検査装置は、電子銃から放出された電子線を所望の形状（例えば、矩形若しくは楕円形等）に成形し、成形された電子ビームを検査されるべき試料（例えばウェハ若しくはマスク等、以下ではしばしばウェハとして説明する）の表面上に一括照射する一次電子光学系と、ウェハから放出された二次電子を検出器に照射する二次電子光学系と、二次電子を受けて光学的像に変換し、ウェハの像を結像させる検出器と、検出器を制御するための制御装置とを備えている。一次電子光学系は、電子ビームを放出する電子銃と、電子ビームを所定の断面形状のビームに成形する一次系静電レンズとを備えている。一次電子光学系は、ウェハの表面に垂直な方向に対し一定の角度を有していて、電子銃を最上部にして順に配置されている。一次電子光学系と二次電子光学系との間には、電界と磁界とが直交する場により電子ビームを偏向すると共にウェハからの二次電子を分離するためのＥ×Ｂ偏向器（ウィーンフィルター又はＥ×Ｂ分離器とも言う）が、ウェハＳの表面に垂直な方向に沿って配置されている。二次電子光学系は、Ｅ×Ｂ分離器で分離されたウェハからの二次電子の光軸に沿って、ウェハの表面に対して垂直な方向に配置されており、二次電子を偏向して集束する二次系静電レンズを備えている。
【００１１】
電子銃は、電子放出材（カソード）を加熱することにより電子を放出する熱電子線源タイプが用いられている。カソードとしての電子放出材（エミッタ）は、ランタンヘキサボライド（ＬａＢ６）が用いられている。高融点（高温での蒸気圧が低い）で仕事関数の小さい材料であれば、他の材料を使用することが可能である。ランタンヘキサボライド（ＬａＢ６）のカソードは、その先端を円錐形状にしたものが使用されているが、円錐の先端を切り落とした円錐台形状のものを使用してもよい。円錐台先端の直径は１００μｍ程度である。他の方式としては電界放出型の電子線源あるいは熱電界放出型の電子線源が使用されているが、本発明の場合のように比較的広い領域（例えば１００×２５〜４００×１００μｍ２）を大きな電流（１μＡ程度）で照射する場合はＬａＢ６を用いた熱電子源が最適である。なお、ＳＥＭ方式では一般に熱電界放出型電子線源が使用されている。もちろん、本実施例において、熱電子線源の代わりに、電界放出型の電子線源あるいは熱電界放出型の電子線源を使用してもよい。熱電界放出電子線源とは、電子放出材に高電界をかけることにより電子を放出させ、更に電子線放出部を加熱することにより、電子放出を安定させた方式のことである。
【００１２】
一次電子光学系は、電子銃より照射される一次電子ビームを形成すると共に、かかる一次電子ビームを所望の形、例えば、矩形、又は円形（楕円）に形成し、このような矩形、又は円形（楕円）の一次電子ビームをウェーハ面上に照射する部分を構成している。一次電子光学系に設けられたレンズの条件を制御する事により一次電子ビームのビームサイズや一次電子ビームの電流密度を制御できる。また、一次電子光学系と二次電子光学系との連結部に設けられたＥ×Ｂフィルター（ウィーンフィルター）により、一次電子ビームはその方向が変えられウェーハに垂直に入射させることができる。
【００１３】
電子銃には、更に、ウェーネルト、トリプルアノードレンズ、及びガン絞りなどが設けられている。ＬａＢ６で構成されたカソードから放出した熱電子は、ウェーネルト、トリプルアノードレンズでガン絞り上にクロスオーバー像として結像させられる。
【００１４】
一次電子光学系には、更に、一次電子ビームのレンズへの入射角を適正化する照明視野絞りと、ＮＡ絞りとが設けられている。照明視野絞りでレンズへの入射角を適正化した一次電子ビームを一次系静電レンズを制御することによって、回転非対称の形でＮＡ絞り上に結像させ、その後ウエハ面上に面照射する。一次系静電レンズの後段は、３段４極子（ＱＬ）と、１段の開口収差補正用電極で構成されている。４極子レンズはアライメント精度が厳しいといった制約はあるが、回転対称レンズに比べ強い収束作用を持つ特徴があり、回転対称レンズの球面収差に相当する開口収差を開口収差補正電極に適切な電圧を印加するとで補正を行うことができる。これにより、所定の領域に均一な面ビームを照射出来る。
【００１５】
二次電子光学系は、対物レンズに相当する静電レンズ（ＣＬ）、中間レンズ（ＴＬ）と、視野絞り（ＦＡ）位置と、視野絞り位置に対して検出器側に設けられた後段のレンズ（ＰＬ）とを備えている。このようにして、ウエハ上に照射された電子ビームにより発生する二次元の二次電子画像は、対物レンズに相当する静電レンズ（ＣＬ）、中間レンズ（ＴＬ）により視野絞り位置で結像させられ、後段のレンズ（ＰＬ）で拡大投影させられる。この結像投影光学系が、二次電子光学系と呼ばれている。
【００１６】
ウエハにはマイナスのバイアス電圧（減速電界電圧）が印加されていることが好ましい。減速電界は照射ビームに対して減速の効果を持ち、試料のダメージを低減させるとともに、静電レンズ（ＣＬ）とウエハ間の電位差で試料面上から発生した二次電子を加速させ、色収差を低減させる効果を持つ。静電レンズ（ＣＬ）によって収束した電子は中間レンズ（ＴＬ）で視野絞り（ＦＡ）上に結像させ、その像を後段のレンズ（ＰＬ）で拡大投影し、マイクロチャンネルプレート（ＭＣＰ）上に結像させる。本光学系では静電レンズＣＬ−中間レンズＴＬ間にニューメリカルアパーチャＮＡ（Ｎｅｕｍｅｒｉｃａｌ  Ａｐｅｒｔｕｒｅ）を配置し、これを最適化することで軸外収差低減が可能な光学系を構成している。
【００１７】
また、電子光学系の製造上の誤差や、Ｅ×Ｂフィルター（ウィーンフィルター）を通過することによって発生する像の非点収差や異方性倍率を補正するため、静電８極子のスティグメータ（ＳＴＩＧ）を配置し補正を行い、軸ズレに対しては各レンズ間に配置した偏向器（ＯＰ）で補正を行う。これにより視野内における均一な分解能での写像光学系が達成できる。
【００１８】
Ｅ×Ｂ偏向器は、電極と磁極を直交方向に配置し、電界と磁界を直交させた電磁プリズム光学系のユニットである。電磁界を選択的に与えると、一方向からその場に入射する電子ビームは偏向させられ、その反対方向から入射する電子ビームは、電界から受けるカと磁界から受ける力の影響が相殺される条件（ウィーン条件）を作ることが可能で、これにより一次電子ビームは偏向され、ウエハ上に垂直に照射し、二次電子ビームは検出器に向け直進することができる。
【００１９】
二次光学系で結像されるウエハからの二次電子画像は、まずマイクロチャンネルプレート（ＭＣＰ）で増幅されたのち、蛍光スクリーンにあたり光の像に変換される。ＭＣＰの原理としては直径６〜２５μｍ、長さ０．２４〜１．０mmという非常に細い導電性のガラスキャピラリを数百万本束ね、薄い板状に整形したもので、所定の電圧印加を行うことで、一本一本のキャピラリが、独立した二次電子増幅器として働き、全体として二次電子増幅器を形成する。
【００２０】
この検出器により光に変換された画像は、真空透過窓を介して大気中に置かれた又は真空フィードスルーを兼ねたリレー光学系で、ＴＤＩ−ＣＣＤ上に１対１で投影される。
【実施例】
【００２１】
次ぎに、写像投影方式の主な機能の関係とその全体像をより明瞭にするために、本願発明の一実施例に係る写像投影方式の電子線検査装置を具体的に説明する。
図１に本実施の形態による写像投影方式の電子線検査装置の全体構成図を示す。但し、一部構成を省略して図示してある。
【００２２】
図１において、電子線検査装置は一次コラム１、二次コラム２およびチャンバー３を有している。一次コラム１の内部には、電子銃４が設けられており、電子銃４から照射される電子ビーム（一次ビーム）の光軸上に一次光学系５が配置される。また、チャンバー３の内部には、ステージ６が設置され、ステージ６上には試料Ｗが載置される。
【００２３】
一方、二次コラム２の内部には、試料Ｗから発生する二次ビームの光軸上に、カソードレンズ８、ニューメニカルアパーチャ９、ウィーンフィルタ１０、第２レンズ１１、フィールドアパーチャ１２、第３レンズ１３、第４レンズ１４および検出器１５が配置される。なお、ニューメニカルアパーチャ９は、開口絞りに相当するもので、円形の穴が開いた金属製（Ｍｏ等）の薄板である。そして、開口部が一次ビームの集束位置およびカソードレンズ８の焦点位置になるように配置されている。したがって、カソードレンズ８とニューメニカルアパーチャ２９とは、テレセントリックな電子光学系を構成している。
【００２４】
一方、検出器１５の出力は、コントロールユニット１６に入力され、コントロールユニット１６の出力は、ＣＰＵ１７に入力される。ＣＰＵ１７の制御信号は、一次コラム制御ユニット１８、二次コラム制御ユニット１９およびステージ駆動機構７に入力される。一次コラム制御ユニット１８は、一次光学系５のレンズ電圧制御を行い、二次コラム制御ユニット１９は、カソードレンズ８、第２レンズ１１ないし第４レンズ１４のレンズ電圧制御およびウィーンフィルタ１０に印加する電磁界制御を行う。
【００２５】
また、ステージ駆動機構７は、ステージの位置情報をＣＰＵ１７に伝達する。さらに、一次コラム１８、二次コラム１９、チャンバー３は、真空排気系（不図示）と繋がっており、真空排気系のターボポンプ等により排気されて、内部は真空状態を維持している。
【００２６】
電子銃４からの一次ビームは、一次光学系５によってレンズ作用を受けながら、ウィーンフィルタ１０に入射する。ここでは、電子銃のチップとしては、矩形陰極で大電流を取り出すことができるＬａＢ６を用いる。また、一次光学系５は、非回転対称の四重極または八重極の静電（または電磁）レンズを使用する。これは、Ｘ軸、Ｙ軸各々で集束と発散とを引き起こすことができる。このレンズを２段、３段で構成し、各レンズ条件を最適化することによって、照射電子を損失することなく、試料面上のビーム照射領域を、任意の矩形状、または楕円形状に整形することができる。
【００２７】
具体的には、静電レンズを用いた場合、４つの円柱ロッド（四重極）を使用する。対向する電極同士を等電位にし、互いに逆の電圧特性を与える。
なお、四重極レンズとして円柱形ではなく、静電偏向器で、通常使用される円形板を４分割した形状のレンズを用いてもよい。この場合レンズの小型化を図ることができる。一次光学系５を通過した一次ビームは、ウィーンフィルタ１０の偏向作用により軌道が曲げられる。ウィーンフィルタ１０は、磁界と電界を直交させ、電界をＥ、磁界をＢ、荷電粒子の速度をｖとした場合、Ｅ＝ｖＢのウィーン条件を満たす荷電粒子のみを直進させ、それ以外の荷電粒子の軌道を曲げる。一次ビームに対しては、磁界によるカＦＢと電界による力ＦＥとが発生し、ビーム軌道は曲げられる。一方、二次ビームに対しては、カＦＢと力ＦＥとが逆方向に働くため、互いに相殺されるので二次ビームはそのまま直進する。
【００２８】
一次光学系５のレンズ電圧は、光源像がニューメニカルアパーチャ９の開口部で結像するように、予め設定されている。すなわち、光学顕微鏡でいうケーラー照明が実現される。このニューメニカルアパーチャ９は、装置内に散乱する余計な電子ビームが試料面に到達することを阻止し、試料Ｗのチャージアップや汚染を防いでいる。
【００２９】
一次ビームが試料に照射されると、試料のビーム照射面からは、二次ビームとして、二次電子、反射電子または後方散乱電子が発生する。
二次ビームは、カソードレンズ８によるレンズ作用を受けながら、レンズを透過する。
【００３０】
ところで、カソードレンズ８は、３枚の電極で構成されている。一番下の電極は、試料Ｗに対して、正の電界を形成し、２次電子を引き込み、効率よくレンズ内に導くように設計されている。
【００３１】
また、レンズ作用は、カソードレンズ８の１番目、２番目の電極に電圧を印加し、３番目の電極をゼロ電位にすることで行われる。一方、ニューメニカルアパーチャ９は、カソードレンズ８の焦点位置、すなわち試料Ｗからのバックフォーカス位置に配置されている。したがって、視野中心外（軸外）から出た電子ビームの光束も、平行ビームとなって、このニューメニカルアパーチャ９の中心位置を、けられが生じることなく通過する。
【００３２】
なお、ニューメニカルアパーチャ９は、二次ビームに対しては、第２レンズ１１ないし第４レンズ１４のレンズ収差を抑える役割を果たしている。ニューメニカルアパーチャ９を通過した二次ビームは、ウィーンフィルタ１０の偏向作用を受けずに、そのまま直進して通過する。
【００３３】
二次ビームを、カソードレンズ８のみで結像させると、倍率の色収差及び歪曲収差が発生しやすい。そこで、第２レンズ１１と合わせて、１回の結像を行わせる。二次ビームは、カソードレンズ８および第２レンズ１１により、フィールドアパーチャ１２上で中間結像を得る。この場合、通常、二次光学系として必要な拡大倍率が、不足することが多いため、中間像を拡大するためのレンズとして、第３レンズ１３、第４レンズ１４を加えた構成にする。二次ビームは、第３レンズ１３、第４レンズ１４各々により拡大結像し、ここでは、合計３回結像する。なお、第３レンズ１３と第４レンズ１４とを合わせて１回（合計２回）結像させてもよい。
【００３４】
また、第２レンズ１１ないし第４レンズ１４はすべて、ユニポテンシャルレンズまたはアインツェルレンズとよばれる回転軸対称型のレンズである。各レンズは、３枚電極の構成で、通常は外側の２電極をゼロ電位とし、中央の電極に印加する電圧で、レンズ作用を行わせて制御する。また、中間の結像点には、フィールドアパーチャ１２が配置されている。フィールドアパーチャ１２は光学顕微鏡の視野絞りと同様に、視野を必要範囲に制限しているが、電子ビームの場合、余計なビームを、後段の第３レンズ１３および第４レンズ１４と共に遮断して、検出器１５のノイズ発生や汚染を防いでいる。なお、拡大倍率は、この第３レンズ１３および第４レンズ１４のレンズ条件（焦点距離）を変えることで設定される。
【００３５】
二次ビームは、二次光学系により拡大投影され、検出器１５の検出面に結像する。検出器１５は、電子を増幅するマイクロチャンネルプレート（ＭＣＰ）と、電子を光に変換する蛍光板と、真空系と外部との中継および光学像を伝達させるためのレンズやその他の光学系と、撮像素子（ＣＣＤ等）とから構成される。二次ビームは、ＭＣＰ検出面で結像し、増幅され、蛍光板によって電子は光信号に変換され、撮像素子によって光電信号に変換される。
【００３６】
コントロールユニット１６は、検出器１５から試料の画像信号を読み出し、ＣＰＵ１７に伝達する。ＣＰＵ１７は、画像信号からテンプレートマッチング等によってパターンの欠陥検査を実施する。また、ステージ６は、ステージ駆動機構７により、ＸＹ方向に移動可能となっている。ＣＰＵ１７は、ステージ６の位置を読み取り、ステージ駆動機構７に駆動制御信号を出力し、ステージ６を駆動させ、順次画像の検出、検査を行う。
【００３７】
さらに、二次ビームに対しては、試料Ｗからの全ての主光線が、カソードレンズ８に垂直（レンズ光軸に平行）に入射し、ニューメニカルアパーチャ９を通過するので、周辺光もけられることがなく、試料周辺部の画像輝度が低下することがない。また、電子が有するエネルギーのばらつきによって、結像する位置が異なる、いわゆる倍率色収差が起こる（特に、二次電子は、エネルギーのばらつきが大きいため、倍率色収差が大きい）が、カソードレンズ８の焦点位置に、ニューメニカルアパーチャ９を配置することで、この倍率色収差を抑えることができる。
【００３８】
また、拡大倍率の変更は、ニューメニカルアパーチャ９の通過後に行われるので、第３レンズ１３、第４レンズ１４のレンズ条件の設定倍率を変えても、検出側での視野全面に均一な像が得られる。なお、本実施例では、むらのない均一な像を取得することができるが、通常、拡大倍率を高倍にすると、像の明るさが低下するという問題点が生じた。そこで、これを改善するために、二次光学系のレンズ条件を変えて拡大倍率を変更する際、それに伴って決まる試料面上の有効視野と、試料面上に照射される電子ビームとを、同一の大きさになるように一次光学系のレンズ条件を設定する。
【００３９】
すなわち、倍率を上げていけば、それに伴って視野が狭くなるが、それと同時に電子ビームの照射エネルギー密度を上げていくことで、二次光学系で拡大投影されても、検出電子の信号密度は、常に一定に保たれ、像の明るさは低下しない。
【００４０】
また、本実施例の電子線検査装置では、一次ビームの軌道を曲げて、二次ビームを直進させるウィーンフィルタ１０を用いたが、それに限定されず、一次ビームの軌道を直進させ、二次ビームの軌道を曲げるウィーンフィルタを用いた構成の検査装置でもよい。また、本実施例では、矩形陰極と四極子レンズとから矩形ビームを形成したが、それに限定されず、例えば円形ビームから矩形ビームや楕円形ビームを作り出してもよいし、円形ビームをスリットに通して矩形ビームを取り出してもよい。
【００４１】
ウィーンフィルタすなわちＥ×Ｂ偏向器としての電子ビーム偏向部１０の詳細な構造について、図２、及び図２のＡ−Ａ線に沿う縦断面を示した図３を用いて説明する。図２に示すように、電子ビーム偏向部の場は、写像投影光学部（試料に電子ビームが照射されて、試料表面に応じて発生した二次電子及び反射電子の一次元像又は二次元像を電子ビーム検出器上に結像させる部分）の光軸に垂直な平面内において、電界と磁界とを直交させた構造、即ちＥ×Ｂ構造とする。
【００４２】
ここで、電界は凹面状の曲面を持つ電極１０−１及び１０−２により発生させる。電極１０−１及び１０−２が発生する電界は、それぞれ制御部１０ａ及び１０ｄにより制御される。一方、電界発生用の電極１０−１及び１０−２と直交するように、電磁コイル１０−１ａ及び１０−２ａを配置させることにより、磁界を発生させている。尚、電界発生用の電極１０−１、１０−２は点対象である。（同心円でも構わない。）
この場合は磁界の均一性を向上させるために、平行平板形状を有するポールピースを持たせて、磁路を形成している。Ａ−Ａ線に沿う縦断面における電子ビームの挙動は、図３に示されるようになる。照射された電子ビーム１ａは、電極１０−１及び１０−２が発生する電界と、電磁コイル１０−１ａ及び１０−２ａが発生する磁界とによって偏向された後、試料面上に対して垂直方向に入射する。
【００４３】
ここで、照射電子ビーム１ａの電子ビーム偏向部１０への入射位置及び角度は、電子のエネルギーが決定されると一義的に決定される。さらに、二次電子２ａが直進するように、電界及び磁界の条件、即ちｖＢ＝Ｅとなるように電極１０−１及び１０−２が発生する電界と、電磁コイル１０−１ａ及び１０−２ａが発生する磁界とを、それぞれの制御部１０ａ及び１０ｄ、１０ｃ及び１０ｂが制御することで、二次電子は電子ビーム偏向部１０を直進して、写像投影光学部に入射する。ここで、Ｖは電子２ａの速度（ｍ／ｓ）、Ｂは磁場（Ｔ）、Ｅは電界（Ｖ／ｍ）である。
【００４４】
次ぎに、写像投影方式を利用した欠陥検査装置の別の実施例を説明する。
写像投影方式を利用した欠陥検査装置においては、（１）電子線を一括照射するために、試料表面上でチャージアップしやすいこと、（２）本方式で得られる電子線電流に限界が有り（１．６μＡ程度）検査速度向上の妨げとなっているという問題点があった。
【００４５】
本実施例では、一次電子線を複数とし、前記複数の一次電子線を二次元（Ｘ−Ｙ方向）に走査しながら（すなわち、ラスタースキャンしながら）試料表面の観察領域を照射し、二次電子光学系に写像投影方式を採用することによって解決することができる。この実施例では、前述の写像投影方式の利点を持つとともに、この写像方式の課題である（１）電子線を一括照射するために、試料表面上でチャージアップしやすいこと、（２）本方式で得られる電子線電流に限界が有り（１．６μＡ程度）検査速度向上の妨げとなっていること、については、複数の一次電子線を走査することにより解決できる。即ち、電子線照射点が移動するので電荷が逃げやすく、チャージアップが減少する。また、複数の電子線の本数を増やすことにより、容易に電流値を増加できる。この実施例において、例えば、４本の一次電子線を使う場合、一本の電子線電流が５００ｎＡ（電子線の径１０μｍ）で合計２μＡが得られた。１６本程度には容易に一次電子線の数を増やすことが可能であり、この場合で８μＡを得ることが原理的に可能である。複数の一次電子線を走査する場合、当該複数の一次電子線による照射量が、照射領域に均一になるように照射することにより、前記のようにラスタスキャンに限らず、リサージュ図形などの他の形状の走査を行うことができる。従って、ステージの走査方向は複数の電子線の走査方向に垂直である必要は無い。
【００４６】
この実施例に用いられる電子線源として、熱電子線源（電子放出材を加熱することにより電子を放出する方式）を使用することができる。この場合も、電子放出（エミッタ）材はＬａＢ６とすることが好ましい。高融点（高温での蒸気圧が低い）で仕事関数の小さい材料であれば、他の材料を使用することも可能である。複数の電子線を得るために、２通りの方法を用いることができる。一つは、一本のエミッタ（突起が一つ）から一本の電子線引き出し、複数の穴のあいた薄板（開ロ板）を通すことにより、複数の一次電子線を得る方法である。もう一つの方法は、一本のエミッタに複数の突起を形成してそこから直に複数の一次電子線を引き出す方法である。いずれの場合も電子線は突起の先端から放出されやすい性質を利用している。他の方式の電子線源、例えば熱電界放出型の電子線も使用可能である。熱電界放出電子線源とは、電子放出材に高電界をかけることにより電子を放出させ、更に電子線放出部を加熱することにより、電子放出を安定させた方式のことである。
【００４７】
次に、複数の一次電子線を二次元（Ｘ−Ｙ方向）に走査しながら（すなわち、ラスタースキャンしながら）試料表面の観察領域を照射し、二次電子光学系に写像投影方式を採用した上記実施例を図４及び図５を参照しながらより詳細に説明する。
【００４８】
下記実施例では、複数の一次電子線を得る方法として、一本のエミッタに複数の突起を形成してそこから直に複数の一次電子線を引き出す方法を採用している。
図４に示されるように、電子銃２０から放出された４本の電子線２１（２１−１、２１−２、２１−３、２１−４）は開口５０−１で整形され、２段のレンズ２２−１、２２−２でウィーンフィルタ２３の偏向中心面に１０μｍ×１２μｍの楕円状に結像され、図の紙面垂直方向に偏向器２６によりラスタースキャンされ、４本の電子線全体として１ｍｍ×０．２５ｍｍの矩形領域を均一にカバーするように結像される。ウィーンフィルタとしてのＥ×Ｂ２３で偏向された複数の電子線はニューメリカルアパーチャーＮＡでクロスオーバーを結び、レンズ２４で１／５に縮小され試料Ｗに２００μ×５０μｍをカバーし、かつ試料面に垂直になるように照射、投影される。試料から放出されたパターン画像（試料像Ｆ）の情報を持った４本の２次電子線２５は、レンズ２４、２７−１、２７−２で拡大され、ＭＣＰ２８−１上に全体として４本の電子線２５で合成された矩形画像(拡大投影像Ｆ‘）として結像する。この二次電子線２５による拡大投影像Ｆ’は、ＭＣＰ２８−１で１万倍に増感され、蛍光部２８−２により光に変換され、ＴＤＩ（Ｔｉｍｅ  Ｄｅｌａｙ  Ｉｎｔｅｇｒａｔｉｏｎ）−ＣＣＤ２９で試料の連続移動速度に同期された電気信号となり、画像表示部３０で連続した画像として取得され、ＣＲＴ上等に出力した。
【００４９】
電子線照射部は試料表面をできるだけ均一に、かつ照射むらを少なくして、矩形状に電子線で照射する必要があり、また、スループットをあげるためにはより大きな電流で照射領域を電子線照射する必要がある。従来の電子線照射むらは±１０％程度であり画像のコントラストむらが大きく、また、電子線照射電流は照射領域において５００ｎＡ程度と少ないために、高いスループットが得られないという問題があった。また、走査型電子線顕微鏡（ＳＥＭ）方式に比べて、本方式は広い画像観察領域を一括して電子線照射するためにチャージアップによる結像障害が生じやすいという問題があった。
【００５０】
本実施例の一次電子線照射方法を図５に示す。一次電子線２１は、４本の電子線２１−１、２１−２、２１−３、２１−４で構成されている。、それぞれのビームは２μｍ×２．４μｍの楕円状しており、それぞれ１本当り２００μｍ×１２．５μｍの矩形領域をラスタースキャンし、それらが重なり合わないように足し合わせて全体として２００μｍ×５０μｍの矩形領域を照射する。２１−１のビームは２１−１’ヘ有限の時間で到達し次にビームスポット径分（１０μｍ）ずれた２１−１の直下（２１−２方向）にほとんど時間損失なしに戻り、再度前記と同じ有限の時間で２１−１〜２１−１’に平行に２１−１’の直下（２１−２’方向）に移動し、これを繰り返して図の点線で示す矩形の照射領域の１／４（２００μｍ×１２．５μｍ）を走査した後はじめの点２１−１に戻りこれを高速に繰り返す。他の電子線２１−２〜２１−４も電子線２１−１と同様に同じ速度で走査を繰り返し、全体として図の矩形の照射領域（２００μｍ×５０μｍ）を均一に高速に照射する。均一に照射できれば、前記のラスタースキャンでなくても良い。例えばリサージュ形を描くように走査しても良い。従って、ステージの移動方向は図に示す方向Ａである必要は無い。即ち、ステージの移動方向はスキャン方向（図の横方向の高速走査方向）に垂直である必要は無い。本実施例では電子線照射むらは±３％程度で照射できた。照射電流は１本の電子線当たり２５０ｎＡで試料表面で全体として、４本の電子ビームで１．０μＡを得ることができた（従来の２倍）。電子線の本数を増やすことにより、電流を増加でき、高スループットを得ることができる。また、照射点が従来に比べて小さく（面積で約１／８０）また移動しているのでチャージアップは従来の１／２０以下に抑えることができた。
【００５１】
図中には示していないが、本装置には、レンズの他に、制限視野絞り、電子線の軸調整のための４極またはそれ以上の極数を有する偏向器（アライナー）、非点収差補正器（スティグメータ）、さらにビーム形状を整形する複数の４重極レンズ（４極子レンズ）等電子線の照明、結像に必要なユニットを備えている。
【００５２】
次に、写像投影方式の電子線検査装置の別の実施例を説明する。当該実施例に係る電子線検査装置は、試料（例えばウェハ若しくはマスク）特に、最小線幅が０．１μm以下のデバイスパターンを有するウェハ等の欠陥検査を、高いスループットでかつ高い信頼性で行えるようにしたものである。
【００５３】
まず、本実施例の概要について説明する。
本実施例に係る写像投影方式の電子線検査装置は、電子銃から放出した電子線を矩形の電子ビームに成形し、その電子ビームをウェハの表面に照射し、ウェハ面から放出された二次電子の像を検出器に結像させる。このような写像投影方式の欠陥検査用の電子線検査装置は、走査型電子顕微鏡のビームスポット径よりも大きい矩形状又は面状のビームを使用し、その照射領を一括して結像させ、画像を取得する。従って、走査型に比べて高いスループット化の要求を満足させることができる。また、この装置においては、ステージを連続的に移動させてウェハ全面を走査することによりウェハから放出された二次電子を蛍光板で光学的像に変換し、変換された像をラインセンサ（ＴＤＩ−ＣＣＤ）で撮像する。
【００５４】
このようなラインセンサでは、図９に示されているように、直交した２軸の１軸方向（図で左右方向）にＣ１ないしＣｎのライン状に並べられているｎ個のＣＣＤ画素列が他の軸方向（図で上下方向）にＲＯＷ−１ないしＲＯＷ−ｍのｍ個並べられて、ＣＣＤアレイを構成している。各ＣＣＤ画素列に蓄積された電荷は外部からの一垂直クロック信号により一度に垂直方向へＣＣＤ一画素分だけ転送される（即ち電荷が矢印Ｅの方向に移動する）。ある時点でＲＯＷ−１に撮像されたｎ個の画素のライン画像は、クロック信号が与えられたときにＲＯＷ−２に転送される。続けてクロック信号が与えられるとＲＯＷ−２に転送されたライン画像は垂直方向に更に一画素分だけ移動しＲＯＷ−３に転送される。こようにして画像の移動に追従してＲＯＷ−ｍまで電荷の転送が繰り返し行われて最終的に水平出力レジスタから画像データとしてラインセンサの外部に取り出される。
【００５５】
しかしながら、ラインセンサの電荷移動時間（以下、ラインレートと呼ぶ）を一定として撮像を行うと、ステージの移動速度の変動に伴って走査型電子顕微鏡方式による欠陥検査装置では問題とならないラインセンサの電荷移動の非同期に起因した像ぼけを生じる。更に、ウェハ全面検査に伴う焦点機構により電子光学系の倍率変動が生じ、ウェハ上の画素サイズが変化するために最適ラインレートが変動し、それにより同様な像ぼけが生じる。
【００５６】
本実施例の一つの目的は、ラインセンサのラインレートを常にステージの移動速度と同期させ、電荷移動の非同期により生じる像ぼけを回避することができる欠陥検査用の電子線検査装置を提供することである。
【００５７】
本実施例の他の目的は、電子光学系の倍率変動に伴う像ぼけを回避することができる欠陥検査用の電子線検査装置を提供することである。
そこで、本実施例に係る写像投影方式の欠陥検査用の電子線検査装置では、電子銃から放出された電子線を所望の形状に成形し、該成形された電子ビームを検査されるべき試料面上に照射する一次電子光学系と、前記試料から放出された二次電子を結像する二次電子光学系と、前記結像された二次電子像を蛍光板を介して光学像に変換し、ラインセンサで検出させる検出器とを備えた写像投影型の欠陥検査用の電子線検査装置において、前記ラインセンサに設けられた画素列において撮像されたライン画像を転送するときの電荷移動時間を、試料を移動させるステージの移動速度に連動して制御する制御装置を設けている。ステージの移動速度を検出し、最適なラインレートを算出してフィードバックすることにより、ラインセンサのラインレートを常にステージの移動速度と同期させ、電荷移動の非同期により生じる像ぼけを回避することができる。
【００５８】
また、本実施例に係る電子線検査装置の一つ変形例では、前記ラインセンサの電荷移動時間を前記電子光学系の倍率の変動に連動して制御するように構成されている。それにより、ウェハ全面検査に伴う焦点機構により電子光学系の倍率変動が生じた場合でも、電荷移動の非同期により生じる像ぼけを回避することができる。
【００５９】
また、他の変形例において、前記二次電子光学系の二次電子を倍増するために、前記蛍光板の前段にマイクロチャンネルプレートを配置している。
また、他の変形例において、前記ステージの位置を測定するためのレーザ干渉計を備えている。それにより、ステージの位置情報をレーザ干渉計から検出し、ステージの移動速度から最適なラインレートを算出してフィードバックすることができ、ラインセンサのラインレートを常にステージの移動速度と同期させ、電荷移動の非同期により生じる像ぼけを回避することができる。
【００６０】
以下図面を参照して、本実施例に係る写像投影方式の欠陥検査用の電子線検査装置をより具体的に説明する。
図６において、本実施例の欠陥検査用の電子線検査装置１００１が模式的に示されている。この欠陥検査用の電子線検査装置１００１は、電子銃から放出された電子線を所望の形状（例えば、矩形、若しくは楕円形等）に成形し、成形された電子ビームを検査されるべき試料（例えばウェハ若しくはマスク等、本実施例においては以下ウェハと呼ぶ）Ｓの表面上に照射する一次電子光学系１００２と、ウェハＳから放出された二次電子を検出器に拡大投影する二次電子光学系１００３と、二次電子を受けて光の像に変換し、更に電気信号に変換する検出器１００４と、検出器１００４を制御するための制御装置１００５（図７）とを備えている。
【００６１】
一次電子光学系１００２は、電子線１０２１を放出する電子銃１０２２と、電子線１０２１を所定の断面形状のビームに成形する一次系静電レンズ１０２３とを備え、それらは、図６に示すように、ウェハＳの表面に垂直な方向に対し一定の角度を有していて、電子銃１０２２を最上部にして順に配置されている。一次電子光学系１００２は更に、電界と磁界とが直交する場により電子ビームを偏向すると共にウェハＳからの二次電子を分離するためのＥ×Ｂ分離器１０２４と、静電対物レンズ１０２５とを備え、これらはウェハＳの表面に垂直な方向に沿って配置されている。
【００６２】
二次電子光学系１００３は、Ｅ×Ｂ分離器１０２４で分離されたウェハＳからの二次電子１０３１の光軸Aに沿って、ウェハＳの表面に対して垂直な方向に配置されており、二次電子を拡大投影する二次系静電レンズ１０３２を備えている。
【００６３】
検出装置１００４は、ＭＣＰ（マイクロチャンネルプレート）１０４１と、二次電子光学系からの二次電子を光の像に変換する蛍光板１０４２と、該光の像を検出するラインセンサ１０４３と、検出されたウェハ画像情報を格納するメモリー１０４４と、ウェハ画像を表示するＣＲＴモニター１０４５とを備えている。
【００６４】
制御装置１００５は、図７において示されているように、ステージの位置を測定するレーザー干渉計１０５１と、レーザー干渉計１０５１からの位置信号を変換するＡ／Ｄ変換器１０５２と、レーザー干渉計１０５１からの位置信号に基づいて最適ラインレートを演算し出力するラインレート制御部１０５３と、ラインレート制御部１０５３からの出力信号を変換するＤ／Ａ変換器１０５４と、ラインレート制御部１０５３からの信号に基づいてラインセンサー１０４３を制御するラインセンサー制御部１０５５とを備えている。
【００６５】
上記各構成要素は公知のものであってもよく、それらの構造の詳細説明は省略する。
上記構成の電子線検査装置１００において、電子銃１０２２から放出された電子は、加速されて電子ビーム１０２１として一次系静電レンズ１０２３でその断面形状が矩形状又は楕円状に成形される。成形された電子ビームは、Ｅ×Ｂ分離器１０２４の偏向主面より僅かに上側で矩形又は楕円の像を結像するようにされる。Ｅ×Ｂ分離器１０２４に入射し結像したビーム像は、そこでウェハＳの表面に垂直な方向に偏向され、静電対物レンズ１０２５により縮小減速されてウェハＳ上を照射する。
【００６６】
電子ビームの照射によってウェハＳから放出された二次電子１０３１は、静電対物レンズ１０２５で収束されＥ×Ｂ分離器１０２４に入射される。Ｅ×Ｂ分離器１０２４により二次系静電レンズ１０３２の方向に向けられた二次電子線は、二次系静電レンズ１０３２を通過し、更にＭＣＰ１０４１上に拡大投影される。
【００６７】
ＭＣＰ１０４１に入射した二次電子１０３１はそこで増倍されて、蛍光板１０４２を照射する。蛍光板１０４２に照射された二次電子１０３１はそこで光の像に変換される。この画像はラインセンサ１０４３により検出され、電気信号に変換される。電気信号に変換されたウェハ画像データは、光ファイバーケーブルを介してウェハ画像情報としてパーソナルコンピュータのメモリー１０４４に格納される。このウェハ画像情報はＣＲＴモニターに表示されて欠陥が検出される。
【００６８】
次に、制御装置１００５の作用について図６及び図７を参照して説明する。検査されるウェハＳはＸ−Ｙステージ１００６の上に配置されている。上記で説明したような方法でウェハを検査する場合において、Ｘ−Ｙステージ１００６を一定速度でＹ方向に移動させ、Ｘ−Ｙステージ駆動速度とウェハ上のピクセルサイズから算出されるラインレートを定数としてラインセンサ制御部１０５５に設定し、ラインセンサ１０４３の画像をＣＲＴモニター１０４５に表示させる。同期がとれていない場合、Ｘ−Ｙステージの速度変動と同期したステージ走査方向に垂直なステージ速度とラインレートとの非同期に起因する縞模様が数本生成されて、像ぼけが生じることとなる。
【００６９】
そのような縞模様による像ぼけを解消するべく、制御装置１００５は以下のような制御を行う。Ｘ−Ｙステージ１００６の移動位置はレーザー干渉計で測定され、そのシリアル出力信号はクロック周波数２００メガヘルツ、１６ビットでＡ／Ｄ変換器１０５２によりデジタル信号に変換され、現在のステージの位置情報Ｘｔがラインレート制御部１０５３に出力される。それと共に、ラインレート制御部１０５３には１サイクル前の位置情報Ｘｔ−１及び遅延時間も入力される。ラインレート制御部１０５３は、これらの位置情報と遅延時間からステージの速度成分を算出し、更に、ステージの速度成分及びウェハ上の画素サイズから最適ラインレートの計算を行い、それらの情報信号を出力する。この出力信号はクロック周波数２００メガヘルツ、１６ビットでＤ／Ａ変換器１０５４でアナログ信号に変換され、ラインセンサ制御部１０５５に入力される。ラインセンサ１０４３のラインレートはラインセンサ制御部１０５５からの信号により制御される。ラインセンサ制御部１０５５のコマンドによりラインセンサ１０４３のラインレートを更新して、画像の像ぼけを回避することが可能となる。この場合、Ｘ−Ｙステージの振動周期が数マイクロ秒より十分大きいことに対して、入出力を含む制御装置１００５全体の時間遅れは十分に小さい。
【００７０】
本実施例による上記電子線検査装置を使用してウェハの実際の検査を行った。図８において、約１３０ｍｍ×１３０ｍｍのウェハ検査領域Ｓ１の左上の検査開始点Ｓ２をまず電子ビーム１０２１の照射領域の中心に移動させた後、ＸーＹステージ１００６を＋Ｙ方向に１０ｍｍ／ｓｅｃで移動しながらウェハの検査を行った。従って、ウェハ検査領域Ｓ１は矢印Ｂの方向に検査される。次に、ＸーＹステージ１００６を−Ｘ方向に移動させた後、−Ｘ方向に５００ミクロンほどステップ移動させる。従って、ウェハ検査領域Ｓ１は矢印Ｃの方向に移されることとなる。次に、ＸーＹステージ１００６を−Ｙ方向に移動させながらウェハの検査を行った。この場合ウェハ検査領域Ｓ１は矢印Ｄの方向に検査される。このようにして、走査を繰り返しながらウェハ検査領域Ｓ１の全面の検査を行った。
【００７１】
検査開始点Ｓ２からＸーＹステージ１００６を＋Ｙ方向にステージ速度１０ｍｍ／ｓｅｃで移動しながら走査を行ったときには、ステージ速度変位±１０％程度の変動を周期２．５ミリ秒毎に繰り返した。この場合、３００キロヘルツ付近の周波数を有するラインレートは、ラインレート制御部１０５３によってステージの速度変位と同期した振動を繰り返すことにより、像ぼけのない良好な画像を取得することができた。
【００７２】
また、ＸーＹステージ１００６を−Ｙ方向にステージ速度１０ｍｍ／ｓｅｃで移動しながら走査を行ったときも、＋Ｙ方向に走査を行ったときと同様なステージ速度変位を示したが、同様な制御を行うことにより良好な画像を取得することができた。
【００７３】
本実施例によれば、以下のような効果を奏する。
（１）ラインセンサのラインレートを制御するラインセンサ制御部の外部入力に、ラインレート制御部で算出した最適なラインレート信号をフィードバックすることにより、ラインセンサのラインレートがＸーＹステージの移動速度と常時同期し、ラインセンサの電荷移動遅延により生じる像ぼけを回避することができる。
（２）ウェハ全面検査に伴う自動焦点機構により電子光学系の倍率変動が生じた場合でも、ラインセンサ制御部の外部入力に、ラインレート制御部で算出した最適なラインレート信号をフィードバックすることにより、電荷移動の非同期により生じる像ぼけを回避することができる。
（３）ＸーＹステージの振動、又はＸーＹステージ駆動モータの速度変動に伴うラインセンサによる画像の像ぼけを能動的に制御できる。
【００７４】
次ぎに、写像投影方式の電子線検査装置の別の実施例を説明する。当該実施例に係る電子線検査装置は、多目的な電子線検査装置に関する。
まず、本実施例に係る写像投影方式の電子線検査装置の関連技術について説明する。
【００７５】
写像投影方式の電子線検査装置は、一般に１つの電子線照射部を有する。この場合、電子線を試料表面に対し斜め方向から電子線を照射し試料表面に垂直の方向から電子線を取り出すと、試料表面の凹凸により陰影が生じる問題があるので、ウイーンフィルタ（Ｅ×Ｂフィルタ）を用いて斜め方向の電子線を偏向し試料表面に対し垂直方向に入射するようにし、一方試料からの二次電子は、試料表面から垂直方向に取出し、偏向を受けないようにウイーンフィルタの電界及び磁界の強度を設定している。
【００７６】
図１０は、関連する技術の写像投影型電子線検査装置装置２０３４の構成を示すブロック図である。この電子線検査装置２０３４は、試料２１１０に１次電子線２１０２を照射する電子銃２００１、１次電子線２１０２の照射により試料表面から発生した２次電子２１１１を検出し画像信号を生成する検出部２１１４、電極２１０６及び磁石２１０７を備えるウイーンフイルタ２１０５、１次電子線２１０２を成形する第１レンズ系２００３及び第２レンズ系２００４、ウイーンフイルタ２１０５と試料２１１０との間に配置される第３レンズ系２１０８及び第４レンズ系２１０９、ウイーンフイルタ２１０５と検出部２１１４との間に配置される第６レンズ系２１１２及び第７レンズ系２１１３を備える。この電子線検査装置において、ウイーンフイルタ２１０５は、電子銃２００１から照射された一次電子線２１０２を偏向するが試料表面から放出される２次電子２１１１は直進するように設定され、照射一次電子線２１０２を試料表面へ垂直に入射させている。このような装置は、例えば、特開平１１−１３２９７５号公報に開示される。
【００７７】
このような電子線検査装置は、単機能であり、ウエハのサイズが８インチ、１２インチ、１５インチと大型化するにつれて電子線検査装置の床面積が大きくなり、しかも種々の検査や測定を行う必要があるため、クリーンルームに占める電子線検査装置の床面積の割合が増加する問題を生じている。
【００７８】
本実施例一つの目的は、１台の電子線検査装置で複数の機能を有する電子線検査装置を提供し、少ない電子線検査装置台数でプロセス途中のウエハの検査を可能にすることである。本実施例の他の目的は、複数の機能を有する電子線検査装置を備えることにより半導体製造設備のクリーンルームに占める電子線検査装置の床面積の割合を減少することである。本実施例のその他の目的及び利点は、以下の説明において明らかにされる。
【００７９】
そこで、本実施例に係る写像投影方式の欠陥検査用の電子線検査装置では、１次電子線を試料に照射し試料表面から発生する２次電子を検出することにより試料表面の状態を検査する多目的電子線検査装置であって、１次電子線を発生する電子源、１次電子線を整形するレンズ系、１次電子線を走査する光学系、試料を支持する試料ステージ、２次電子を検出器へ向かわせる光学系、及び２次電子を検出して画像信号を生成する検出器を有し、試料表面の欠陥検出、試料表面の欠陥レビュー、パターン線幅測定、及びパターン電位測定の内少なくとも２つの機能を有する。２つの機能は、試料表面の欠陥検出、及び試料表面の欠陥レビューであることができる。
【００８０】
本実施例に係る多目的電子線検査装置において、試料表面の欠陥検出が画像信号により得られる画像をパターンデータと比較するか又はダイ同士の画像を比較することにより行われ、試料表面の欠陥レビューがウエハ表面上における１次電子線の走査と同期させたモニター上のビームの走査により得られる画像観察により行われ、パターン線幅測定がウエハ表面上における１次電子線の走査がパターンの短辺方向に行われそのときの２次電子像により行われ、パターン電位測定が試料表面に最も近い電極に負の電位を与え試料表面の高い電位を持つパターンから放出される２次電子を選択的に試料側へ追い戻すことにより行われることができる。
【００８１】
１次電子線を試料に照射し試料表面から発生する２次電子を検出することにより試料表面の状態を検査する本実施例に係る多目的電子線検査装置は、１次電子線を矩形、円形、及びスポットの内の少なくとも２種類に整形可能なレンズ系、電子線を任意の方向に走査するための偏向系を有する１次電子光学系、試料から放出される２次電子を試料表面から検出器へ向わせる検出系を有し、欠陥を自動的に検出する機能及び欠陥の位置情報を出力する機能を有し、更に上記欠陥の形状を観察可能にする機能を有する。検出系は、写像投影光学系を含むものであることができる。また検出系は、２次電子倍増管を含むものであり得る。
【００８２】
本実施例に係る多目的電子線検査装置の組合せは、当該多目的電子線検査装置を１以上の列に複数台ずつ配置し、それらの試料ステージを共通とし共通の試料ステージ上の試料を検査可能とする。また多目的電子線検査装置の各々が複数の１次電子線を試料へ照射するものであることができる。このような組合せにより検査工程のスループット（単位時間当たりの検査量）を高めることがきる。
【００８３】
以下図面を参照して、本実施例に係る欠陥検査用の多目的電子線検査装置をより具体的に説明する。
図１１は、多目的電子線検査装置２０３０を示す概要図である。電子線検査装置２０３０は、一次電子線２１０２を発生する電子銃２００１等を収容する鏡筒２０２８及び鏡筒２０２８の下方を覆うシールドケース２０２９を備える。シールドケース２０２９は、ウエハ（試料）２１１０を収容し、鏡筒の下方と連通され、鏡筒内と同様に排気され真空にされる。鏡筒２０２８は、その内部に、電子銃２００１、一次電子線２１０２をウエハ表面２１１０へ照射するためのコンデンサレンズ２００２、２００３、２００４、矩形開口２００５、円形開口２００６、レンズ２０２４、２０２５、偏向器２００７、ウイーンフィルタ２００９、一次電子線が照射されるウエハ表面２１１０から放出される２次電子に作用するレンズ系２０１２、２０１０、２０１５、２０１７、マイクロチャンネルプレート２０１８、シンチレータ２０１８’、光ファイバー束２０１９を収容する。シールドケース２０２９は、ステンレスで作った場合は別途磁気遮蔽が必要であり、強磁性体で作った場合は磁気遮蔽を無くすことも可能にされる。
【００８４】
電子線検査装置２０３０において、電子銃２００１から放出された一次電子線２１０２は、コンデンサレンズ２００２、２００３、２００４、矩形開口２００５、円形開口２００６、レンズ２０２４、２０２５、偏向器２００７、ウイーンフィルタ２００９等を通り、ウエハ（試料）表面１１１０へ照射される。電子銃２００１から放出された一次電子線２１０２は、コンデンサレンズ２００２、２００３、２００４で収束され、矩形開口２００５又は後方の円形開口２００６を一様な強度で照射する。図１１の装置においては、レンズ２０２４及び２０２５を調整することにより、ウエハ表面２１１０上に、矩形開口２００５の縮小像、円形開口２００６の縮小像又はクロスオーバーの縮小像を選択形成可能にされる。また偏向器２００７を作動させることにより、ウエハ表面上で一次電子線２１０２を走査することが可能になっている。
【００８５】
図１１の電子線検査装置２０３０において、ウエハ表面の画像は、次のように作成される。即ち、一次電子線２１０２が照射されたウエハ表面２１１０から放出される２次電子が、レンズ系２０１２、２０１０、２０１５、２０１７を経てマイクロチャンネルプレート２０１８上に結像され、その後面のシンチレータ２０１８’で光の像に変換され、光ファイバー束２０１９、２０２０で外部へ取出され、２次元ＣＣＤ２０２７により電気信号に変換され画像が作成される。この作成された画像をパターンデータと比較（自動パターン整合手順）したり、隣りのダイ（すなわち、同じウェーハ上に配列された隣のチップ）の同じ場所で作成された画像同志を比較する、即ちダイ同志を比較する（欠陥比較処理機）ことによって欠陥を自動的に検出し、欠陥位置を出力（欠陥後処理機）できる。このように、電子線検査装置２０３０は、写像投影方式の電子線検査装置の機能を有している。
【００８６】
図１１の電子線検査装置２０３０において、モニター２０２３の輝度変調は次のように行う。即ち、ウエハ表面２１１０に隣接するレンズ２０１２に特定の電圧を与えることにより、２次電子の軌道２０１４をウエハ表面の縁部に隣接する２次電子倍増管２０２１へ向け、２次電子を２次電子倍増管２０２１で増幅し、得られた電気信号を増幅器２０２２により増幅し、モニター２０２３の輝度変調に用いる。
【００８７】
図１１の電子線検査装置２０３０において、ウエハ表面の欠陥の観察は、次のようにして行うこともできる。即ち、偏向器２００７を作動させウエハ表面２１１０上での一次電子線２１０２の走査と同期してモニター２０２３のビームを走査し、得られた画像、即ちＳＥＭ画像とパターンデータによる画像とを比較することによりウエハ表面の欠陥の観察を行う。このように、電子線検査装置２０３０は、走査型電子ビーム方式（ＳＥＭ方式）を用いた電子線検査装置の機能をも有している。したがって、偏向器２００７を作動させて、ウエハ表面上で一次電子線を矩形又は長方形のパターンの例えば短辺方向に走査することにより、モニター２０２３で得られた２次電子像により長辺方向に沿って配列されたパターン線幅を測定するができる。
【００８８】
また、電子線検査装置２０３０を写像投影方式として用いた場合でも、走査型電子ビーム方式として用いた場合でも、ウエハ表面２１１０に隣接するレンズ２０１２の最もウエハに近い方の電極２０１２ａに負の電位を与えることによって、ウエハ表面の高い電位を持つパターンから放出された２次電子を選択的にウエハ側へ追い戻すことによって、パターンの電位を評価して、ウェーハに生じた電気的な導通不良（オープン、ショート不良など）、すなわち、コンタクト不良をより正確に検査することができる。
【００８９】
電子線検査装置２０３０の写像投影方式と走査型電子ビーム方式との切換は、制御装置２９００により行うことができるようになっている。
本実施例多目的電子線検査装置は、上述のように、１台の装置により、欠陥検出、欠陥レビュー、パターン線幅測定、パターン電位測定等多目的の検査及び測定を行うことができるので、クリーンルーム内に多くの床面積を占めることがなく、それ故、デバイス製造装置を多く配置することができ、クリーンルームの有効利用を図ることができる。
【００９０】
次ぎに、写像投影方式の電子線検査装置の別の実施例を説明する。当該実施例に係る電子線検査装置は、最小線幅が０．１ミクロン以下の高密度パターンの形状観察や欠陥検査を高精度且つ高信頼性で行うのに適した電子線検査装置に関するものである。
【００９１】
上記のように、半導体デバイスの高密度化に伴ない、半導体ウェーハ等の基板の表面の欠陥を高精度に検査する必要が生じ、これに応えるものとして、写像投影型電子線検査装置が提案されている。この写像投影型電子線検査装置は、試料の表面に電子銃から一次電子線を照射し、それによって試料から生成された二次電子線をマイクロチャンネルプレートに結像させて電子を増倍した後、シンチレータによって電子線をその強度を表す光に変換し、これをＴＤＩ−ＣＣＤで検出して電気信号へ変換し、この電気信号を試料の走査に同期させることにより、連続した画像を得るものである。
【００９２】
しかしながら、こうした写像投影型の電子線検査装置においては、ステージの移動方向をＴＤＩ−ＣＣＤの受光面の配列方向と精度良く一致させる必要があり、その精度は、製作時の加工精度や組立て精度等の機械的精度に依存している。しかし、近年の０．１ミクロン以下の形状観察や欠陥検査を対象とする装置においては、関連する技術では、必要とする精度を達成することが困難であるという問題があった。
【００９３】
本実施例は、機械的精度で達成することが不可能であった、試料の走査方向とＴＤＩ−ＣＣＤ受光面の配列方向との高精度のアラインメントを達成可能にし、信頼性の高い形状観察及び欠陥検査を行うことができる電子線検査装置を提供することを目的とする。
【００９４】
そこで、本実施例に係る写像投影方式の欠陥検査用の電子線検査装置では、一次電子線により試料を照射する電子照射部と、該一次電子線の照射により前記試料から生成された二次電子線を光学的に処理して前記試料の画像を生成する光学系と、該画像を受け取るマイクロチャンネルプレートと、該マイクロチャンネルプレートの出力をシンチレータで光に変換した後、該光信号を電気信号へ変換するＣＣＤと、該ＣＣＤの出力を処理する画像表示部と、前記試料を移動させるステージとを備えてなり、前記ステージによって前記試料を走査する電子線検査において、前記試料と前記マイクロチャンネルプレートとの間に、前記画像を回転させる磁気レンズが配置されている。
【００９５】
前記磁気レンズは、前記光学系の終段のレンズと前記マイクロチャンネルプレートとの間に位置してもよい。
前記磁気レンズは、前記マイクロチャンネルプレートに最も近いクロスオーバー位置に配置してもよい。
【００９６】
前記磁気レンズは、前記終段のレンズに関して前記マイクロチャンネルプレートとは反対側の前記終段のレンズに最も近い結像位置に配置してもよい。
図１２は、本実施例に係る電子線検査装置の構成を概略的に示す図で、該電子線検査装置は写像投影型の電子線検査装置として実現されている。同図において、電子線検査装置は電子銃３００１を備え、電子銃３００１から放出された一次電子線３００２は矩形の開口で整形され、２段のレンズ３００３、３００４を経て、電極３００５と磁石３００６とを有するウィーン・フィルタ３００７に入射する。このとき、一次電子線３００２は、ウィーン・フィルタ３００７の面に例えば１ｍｍ×０．２５ｍｍ角で結像される。ウィーン・フィルタ３００７で一次電子線３００２は進路を変更され、レンズ３００８、３００９を通過して１／５に縮小された後、ステージＳ上の試料３０１０に垂直に投影される。試料３０１０は、例えばウェーハであり、その表面には回路パターンが形成されている。
【００９７】
一次電子線３００２によって照射されて、試料３０１０の表面から二次電子線が放出され、また、一次電子線３００２の一部は試料３０１０の表面で反射される。これらの反射電子線及び二次電子線３０１１は、試料３０１０上の回路パターンを表す情報を含んでいる。二次電子線３０１１はレンズ３００９、３００８を経てウィーン・フィルタ３００７を直進し、一次電子線３００２の経路から外れた経路を経て静電型レンズ系のレンズ３０１２、３０１３を通過する。二次電子線３０１１はレンズ３００９、３００８、３０１２、３０１３によって拡大される。
【００９８】
静電型レンズ系の最終段のレンズ３０１３から出た二次電子線３０１１は磁気レンズ３０１４を通った後、マイクロチャンネルプレート３０１５上に矩形の像として結像する。ここに磁気レンズ３０１４を配置した理由については後述する。結像された矩形の像はマイクロチャンネルプレート３０１５によって１万倍に増感されて蛍光部３０１６を照射する。これにより、蛍光部３０１６は増感された矩形の画像を光に変換し、変換された光はリレー光学系３０１７を経てＴＤＩ−ＣＣＤ３０１８を照射する。そこで、ＴＤＩＣＣＤ３０１８は入射した光を、試料３０１０を移動ステージによって走査する走査速度に同期した電気信号へ変換し、連続した画像として画像処理部３０１９へ与える。
【００９９】
こうして画像処理部３０１９により取得された画像は、オンタイムでの複数のセルの画像比較や複数のダイの画像の比較による試料３０１０の表面の欠陥の検出に供される。画像処理部３０１９で検出された試料３０１０上の欠陥の形状の特徴、数及び位置座標等は、必要に応じて、ＣＲＴ上に表示され、また記録される。
【０１００】
なお、上記の試料表面の形状観察や欠陥検査においては、試料３０１０の基板が例えば酸化膜や窒化膜が用いられることがあって表面構造が違うことや、製造工程が異なることを考慮して、適切な条件の下で荷電粒子を試料３０１０に照射し、最適な照射条件で照射を行った後、画像を取得して形状観察や欠陥検査を行うことが望ましい。
【０１０１】
さらに、２次電子だけでなく散乱電子や反射電子による画像も上記のように取得できるが、ここでは２次電子画像を取得した場合について述べている。
ここで、図１３を用いて、図１２に示す磁気レンズ１３０４の動作原理を説明する。磁気レンズ１３０４は、上から見て環状の形状をしていると共に、その横断面は左右にＵ字形状が表される形状となっている。図１３の（Ａ）及び（Ｂ）は、磁気レンズ１３０４の中心部分のみを表した図である。図１３の（Ａ）及び（Ｂ）に示すように、磁気レンズ３０１４のポールピースの中心を二次電子線３０１１が通過するとき、上側のポールピース３０２１ａと下側のポールピース３０２１ｂとの間に配置された図示しない環状のコイルにより上下のポールピースを通って磁路が形成されて、二次電子線３０１１に磁界が印加され、それによって、二次電子線３０１１は、二次電子線３０１１の光軸中心に対して矢印３０２２で示す方向に回転させられる。このときの二次電子線３０１１の回転量は、ポールピース３０２１ａ及びｂを通って二次電子線３０１１に印加される磁界を強くすればするほど大きくなる。
【０１０２】
この原理を利用すると、例えば、磁気レンズ３０１４をレンズ３０１３とマイクロチャンネルプレート３０１５との間に配置し、磁気レンズ３０１４が発生する磁界の強度を調整することにより、試料３０１０から放出された二次電子線３０１１がマイクロチャンネルプレート３０１５上に結像したときの画像を回転させることができる。したがって、磁気レンズ３０１４の磁界強度の調整により、移動ステージＳで試料３０１０を走査するときの走査方向とＴＤＩ−ＣＣＤ３０１８の受光面の積算方向とを一致させることが可能になる。
【０１０３】
また、磁気レンズ３０１４を静電型レンズ系の最終段のレンズ３０１３とマイクロチャンネルプレート３０１５との間に配置すると、静電型レンズ系に対して影響（例えば、静電型レンズ系の倍率を変えてしまったり、収差や歪みを生じさせたりすること）を与えることなく、磁気レンズ３０１４による二次電子線３０１１の回転、したがって、結像画像の回転を行うことができる。
【０１０４】
実際、図１２に示すように、磁気レンズ３０１４を最終段のレンズ３０１３とマイクロチャンネルプレート３０１５との間に配置した場合、試料３０１０の走査方向とＴＤＩＣＣＤ３０１８の受光面の配列方向とを予め機械的に±１度以内に調整した後、磁気レンズ３０１４の磁界強度を変えて二次電子線の回転角度を測定したところ、二次電子線の回転を±１０秒以内の角度で行い得ることがわかった。これは、角度精度が、（視野寸法／２）×（角度精度）＜（１／１０）×（ピクセル寸法）の関係を満たせばよく、したがって、角度精度＜（１／２０４８×５）ｒａｄ＝９．７７×１０−５ｒａｄ＝２０．２秒であることによる。
【０１０５】
上で説明した磁気レンズ３０１４は、図１４又は図１５に示す位置に配置されることが望ましい。図１４は、これまで説明したとおり、磁気レンズ３０１４は、静電型レンズ系の最終段のレンズ３０１３とマイクロチャンネルプレート３０１５との間の、レンズ３０１３に最も近いクロスオーバー位置３０３１に配置される。これにより、磁気レンズ３０１４の二次電子線に対する回転作用が利用でき、しかも写像投影系の静電レンズ系の合焦条件に与える影響を殆ど無視し得る位にすることができる。
【０１０６】
一方、図１５においては、磁気レンズ３０１４は、静電型レンズ系の最終段のレンズ３０１３に関してマイクロチャンネルプレート３０１５とは反対の側の、レンズ３０１３に最も近い結像位置３０４１に配置される。結像位置３０４１は、試料３０１０の表面及びマイクロチャンネルプレート３０１５の二次電子線入射面と共役の位置であり、磁気レンズ３０１４の回転作用以外のいかなるレンズ作用も働かない位置である。このため、磁気レンズ３０１４は、試料３０１０の走査方向とＴＤＩ−ＣＣＤ３０１８の受光面の配列方向とのずれを補正する作用を行うだけである。換言すると、磁気レンズ３０１４により、こうした方向のずれを容易に補正することができる。また、磁気レンズ３０１４による回転作用により写像投影系の静電型レンズ系が影響されて収差や歪みを生じることがないので、図１４に示す配置と同等又はそれ以上の優れた精度を達成することができる。
【０１０７】
以上、本実施例に係る電子線検査装置の説明から理解されるように、この実施例は、試料の走査方向とＴＤＩ−ＣＣＤの受光面の配列方向とを容易に一致させることができるので、これらの方向の不一致に起因する画像のぼけを除去又は最小化することができ、分解能が０．１ミクロン以下という優れた分解能の下で信頼性の高い形状観察や欠陥検査が可能になるという格別の効果を奏する。
【０１０８】
また、この実施例においては、ＴＤＩ−ＣＣＤの段数を増やしても、試料に対する走査の方向とＴＤＩ−ＣＣＤ受光面の配列方向との不一致による画像ボケが少ないため、一層高い段数のＴＤＩ−ＣＣＤを使用することが可能になり、一層高感度の電子線検査を提供することができ、したがって高スループットを実現することができるという効果も奏される。
【０１０９】
次ぎに、電子線検査装置の別の実施例を説明する。本実施例は、単一又は複数の電子線を使用し固体試料表面の評価を行う電子線検査装置に関し、特に最小線幅０．１μｍ以下のパターンを有するウエハ、マスク等の試料の評価を、高スループット（時間当たり処理量）、高精度、高信頼性をもって行う電子線検査装置に関する。評価項目は、半導体ウエハ等の試料の欠陥検査、線幅測定、重ね精度測定、高時間分解能の電位コントラスト測定等である。電位コントラスト測定は、ウエハの表面下の電気的な欠陥や、ウエハ表面上の微小粒子の測定を可能にするものである。
【０１１０】
本実施例において、電子線の寸法Ｄは、電子線の試料表面上の像の径寸法（直径又は対角線長）を意味するものとする。また、本実施例において、電子線の間隔は、隣接する電子線の試料表面上における隣接する像の中心間の距離を意味するものとする。
【０１１１】
まず、本実施例に係る電子線検査装置の関連技術について説明する。
ウエハの被評価試料の欠陥等を評価する、この種の電子線検査装置は、例えば、特開平９−３１１１１２号公報に開示される。この公報は、１次電子線をマスク、ウエハ等のパターンが形成された被検査試料に照射し被検査試料からの２次電子を利用するパターン検査装置を開示する。また、関連技術においては、対物レンズと被検査試料の間に減速電界を印加し、１次電子線を細く絞り被検査試料に照射し被検査試料からの２次電子を高率良く検出している。また、半球状のメッシュから成る２次電子エネルギーフィルターを利用して試料の表面のパターンの電位コントラストを測定している。
【０１１２】
この種の関連技術で用いられている減速電界型対物レンズは、２次電子を全て通過させるので電位コントラストを測定することが困難である。また半球状のメッシュ電極から成る２次電子フィルターは、対物レンズと試料間にメッシュ電極を設けると対物レンズの像面距離が長くなり、軸上色収差係数が大きくなる問題、及び１次電子線ビームを細く絞ることができないか又は細く絞ろうとするとビーム電流が小さくなる問題を有する。更にメッシュ電極は、メッシュの近傍を通る１次電子線の軌道を不規則に曲げるので、ビームがボケを生じたり、走査歪が生じる問題を有する。
【０１１３】
本実施例の目的は、このような関連技術の問題に鑑みなされたものであり、１次電子線を細く絞りながら大きなビーム電流を得ることができ、電位コントラストの測定が可能であり走査歪のない電子線検査を提供することにある。
【０１１４】
本実施例の電子線検査は、少なくとも３枚の軸対称電極を有する単ポテンシャル静電レンズ、即ち電子銃に近い側の電極（上側電極）、試料に近い方の電極（試料側電極、下側電極）及び両者の間の中央電極、を有する静電レンズによって試料表面に１次電子線を合焦させ偏向器で１次電子線を走査させることによって試料から発生する２次電子を検出し試料表面の評価を行う。電子線検査は、下側電極に試料表面より低い電位の電圧を与えることによって試料表面上のパターンの電位コントラストを得るようにしている。
【０１１５】
本実施例の電子線検査においては、電位コントラストを得る必要のない評価を行う時、試料側電極（下側電極）に対してアースに近い電圧が与えられる。また、下側電極に与える電圧を大きく変化した時の合焦条件の調整は、中央電極に与える正の高圧を変えることにより行われる。
【０１１６】
本実施例の電子線検査においては、合焦条件を高速で小変化させる時は、静電レンズの中央電極より電子銃側の電極（上側電極）に与える電圧を調整して行う。本実施例においては、電位分布を与えられた試料表面からの２次電子の発生の変化により、コントラスト像が得られる。
【０１１７】
以下、図面を参照して、本実施例の具体的な内容を詳細に説明する。図１６は、本実施例に係る電子線検査の概略構成を示す概要図である。図１６に示すように、電子銃４０２０は、ウエーネルト４０２１の内部に配置されるカソード４０２２、ウエーネルト４０２１の下部に配置されるアノード４０２３を備え、１次電子線がカソード４０２２からアノード４０２３に向けて放出され、アノード４０２３を通過した電子線は、軸合せ偏向器４０２４、４０２５で軸合せされ、コンデンサレンズ４０３４、４０３５、４０３６の中心を通るようにされる。
【０１１８】
カソード４０２２が、熱電界放出カソード（ＴＥＦカソード）である場合は、カソード４０２２から放出された１次電子線は、コンデンサレンズ４０３４、４０３５、４０３６によって試料表面への結像倍率が調整され１次電子線４０１６とされ、対物レンズ４０３２、４０３８、４０３９で試料４０３３の表面へ合焦される。そして１次電子線４０１６は、Ｅ×Ｂ分離器４０３０の偏向中心にクロスオーバを作り、静電偏向器４０２７及びＥ×Ｂ分離器４０２９、４０３０の内電磁偏向器４０２９により２段偏向され、試料４０３３の表面上をラスタ走査する。
【０１１９】
図１６の電子線検査において、試料の検査は、１次電子線により試料３３の表面ｘ方向（図１６において紙面に垂直方向）の所定幅をｘ方向に走査しながらステージ４０４１をｙ方向へ連続移動させて行われる。試料のｙ方向の端まで（一定の領域）の検査が終了すると、ステージ４０４１をｘ方向へ所定幅又はそれより僅かに大きい幅だけ移動させ、隣のストライプ（隣接する領域）を検査する。１次電子線４０１６が試料４０３３の表面上をラスタ走査で照射することにより試料４０３３の走査点から２次電子が放出される。
【０１２０】
試料４０３３上の照射点から放出された２次電子は、対物レンズ４０３１の中央電極４０３９の高電圧、上側電極４０３８及び下側電極４０３２の接地電圧、並びに試料４０３３の負の高電圧で形成される２次電子に対する加速電界により電子銃側へ引上げられ、Ｅ×Ｂ分離器４０２９、４０３０で１次光学系から偏向され図１６の点線の方向の軌道を取り、２次電子線検出器４０２８で検出され、ＳＥＭ像（走査型電子顕微鏡像）が形成される。試料４０３３の電位コントラストを評価する場合は、対物レンズ４０３１の試料側電極４０３２に試料電位より低い電位の電圧を与えることによって、軸上ポテンシャル分布を次に述べる図１８のように試料の表面より低くなるようにする。図１６に示す制御装置４９００により、所望の電位の電圧を、上側電極４０３８、中央電極４０３９及び下側電極４０３２にそれぞれ与えることができるようになっている。
【０１２１】
図１８は、上側電極４０３８、中央電極４０３９、下側電極４０３２、及び試料４０３３に、それぞれ４．５ｋＶ、８ｋＶ、３５０Ｖ、５００Ｖをそれぞれ与えた時の軸上ポテンシャルの分布を示す。図１８において、横軸は、Ｚ軸、すなわち試料４０３３の面に対して垂直に伸びる軸線の距離を表しており、基準点の０ｍｍは、上側電極４０３８から前記軸線に向けて垂直に伸びる線と前記軸線との交点となっている。したがって、図中の４．０００ｍｍは、前記交点からの距離を示している。図１８において、図示されていないが、点４００２の対応する位置に試料４０３３が配置されており、点４００１と点４００２との間の中央位置に対応する位置に下側電極４０３２が配置されており、点４００３の対応する位置に中央電極４０３９が配置されている。下側電極４０３２に試料電位より低い電位の電圧が与えられているので、図１８の点４００１と点４００２の範囲で軸上ポテンシャルが試料３３の表面より低くなっている。２次電子の内の高い電位を持つパターンから発生したものは、ポテンシャルエネルギーが低くその速度が低いことから、点４００１と点４００２間のポテンシャル障壁により、試料側へ追い戻され検出されない。一方、２次電子の内の低い電位を持つパターンから発生したものは、ポテンシャルエネルギーが高くより大きな速度を持っているので、このポテンシャル障壁を越えて検出器２８へ達する。
【０１２２】
試料側（下側）電極４０３２に試料よりも低い電位を与えると、中央電極４０３９と下側電極４０３２の間に大きい電界が発生するので、両者の間は、上側電極４０３８と中央電極４０３９の間より広くする方がよい。また中央電極４０３９と下側電極４０３２との間の電界が大きくなることにより、レンズ作用が強くなり過ぎ、合焦条件が大きくずれることになる。これを補正するためには、中央電極４０３９に与える正の高電圧を大きく変化させ、より低い電圧を与えれば良い。
【０１２３】
図１６の電子線検査におけるレンズ構造（コンデンサレンズ４０３４、４０３５、４０３６）は、一体のセラミックス４０２６から削り出して作り、その表面に選択的に金属をコーティングすることによって電極を形成することにより、鏡筒４０４０の外径を小さくすることができる。図１７は、小さくした外径の鏡筒４０４０を４筒×２列に配置した様子を示す。図１７の例では、２次電子検出器４０２８を隣接する光学系と干渉しない側へ向け、８インチのウエハ上に８本の鏡筒４０４０を配置した。図１７の８本の鏡筒４０４０（各々の外径が４０ｍｍφ以下の場合）の配置により、試料ステージ４０４１をｙ方向へ移動させながら評価を行うと、単一の鏡筒４０４０を使用する場合の８倍のスループット（時間当り処理量）を得ることができる。
【０１２４】
試料４０３３のパターン段差や材質の差で画像を作る場合は、２次電子検出効率は、大きい方が良い。その場合は、試料側電極４０３２にはアースに近い電位を与えれば良い。その時の中央電極４０３９に与える電圧は、正の高電圧となる。また試料の表面の凹凸等に応答させるためダイナミックに焦点合せを行う場合は、アースに近い電圧の上側電極４０３８に与える電圧を調整する。この場合は、制御電圧を高速で変化させることが可能である。
【０１２５】
なお、本実施例の電子線検査装置は、走査型電子ビーム方式（ＳＥＭ方式）の電子線検査装置として説明したが、本実施例の特徴部分は、写像投影型の電子線検査装置にも適用可能である。
【０１２６】
本実施例の電子線検査装置は、３枚の軸対称電極を有する静電レンズの試料に近い方の電極に試料表面より低い電位の電圧を与えることによって、対物レンズの像面距離が長くなり軸上色収差係数が大きくなることや１次電子線ビームを細く絞ることができない等の問題を生じることがない。この場合、１次電子線の試料表面への合焦は、中央電極に与える正の高圧を変えることにより調整保持される。電位コントラストを得る必要のない時は、試料に近い側の電極にアースに近い電圧を与えることにより２次電子の検出を効率良く行うことができる。
【０１２７】
次に、本発明の別の実施例を説明する。本実施例は、２次元又は３次元の方向に移動可能なステージ（以下、単にステージと呼ぶ）上に設置された試料に対して荷電ビームとしての電子線を照射する荷電ビーム装置、及びステージ上に試料を搬送する方法に関する。
【０１２８】
まず、本実施例に係る荷電ビーム装置の関連技術について説明する。
ステージ上に設置された試料に対して荷電ビームを照射する、この種の荷電ビーム装置としての電子線装置においては、荷電ビームの通路全体を真空環境にする必要性から、ステージ全体を真空容器内に設置している。また、真空中でステージを機能させるには、大気中でステージを作動させるのと異なり、ステージのアクチュエータ、ガイド部の支持構造や潤滑、及び材料等に特別の配慮が必要であった。
【０１２９】
例えば、アクチュエータに関しては、真空中にサーボモータを配置する場合には、放熱が困難であるためサーボモータを高温仕様にしたりサーボモータの仕様条件に制限を設ける必要が生じたり、回転軸の潤滑に固体潤滑剤や真空グリスを使用しなければならない。一方、大気側にサーボモータを配置する場合には、回転導入部に磁性流体シール等の真空シール機構を設けると共に、ステージにX方向とY方向のガイドの他にもう一段のガイドを設けて、サーボモータがX方向またはY方向のガイドと共に移動することを要しない構造にする必要があり、大気中で作動するステージに比べて構造が複雑で大型になっていた。
【０１３０】
ガイド部の支持構造に関しては、大気中で使用される高精度のステージに対して使用されるような静圧を利用した空気軸受が、真空環境のもとでは使用できない。また、クロスローラーベアリング等の高精度転がり軸受を使用する場合においても、大気中で用いられる潤滑剤よりも潤滑性が劣る真空グリスや、低蒸気圧のフッ素系潤滑油を、潤滑剤として使用しなければならなかった。このため、真空用の高精度ステージを製作するのが困難であった。
【０１３１】
ステージの材料に関しては、真空中での放出ガス量が少ない材料を選定する必要があり、アルミニウム材はあまり使用されず、また、材料の表面積を小さくするために部品表面の仕上げにも格別の配慮を必要としていた。
【０１３２】
真空用のステージ機構には、上記の他にも、ステージを内蔵する真空容器、試料を大気中から真空環境内に移送するためのロードロック室、試料の真空搬送機構、真空容器の真空配管、バルブ類、及び真空ポンプ等が必要であった。
【０１３３】
また、試料は真空中に載置されるので、試料を固定する方法として吸着力で固定するような真空チャックが使用できず、静電チャックまたは試料の表面もしくは側面を固定子で押さえる機械式チャックを使用しなければならなかった。しかしながら、静電チャックには、高価かつパーティクルを吸着し易く、一部のタイプの静電チャックでは除電に時間を要するといった問題点があり、一方、機械式チャックには、平坦に保持する事が不可能な上に試料の表面または側面を固定子で押さえなければならず、試料であるウェハの裏面以外にチャックを接触させたくないという半導体メーカの要求を満足できないという問題点があった。
【０１３４】
以上に述べたように、関連する荷電ビーム装置は、ステージを真空環境内に設けなければならないため、装置の製造コストが高く、大きな設置面積や占有面積を必要とし、機構が複雑で装置の保守管理も困難であった。
【０１３５】
更に、一般的には、大気に曝された物体を真空排気すると、その表面に吸着されたガス分子が離脱してくるため、所定の真空度を得るためにはある程度の排気時間を必要とする。この離脱してくるガスのほとんどは、高い真空度では水分子（即ち、大気中で表面に吸着した水蒸気）である。従って、大気に曝された試料を十分に真空排気せずに荷電ビーム照射領域に搬送した場合には、荷電ビーム照射領域の真空環境内に搬送された途端に試料面に吸着されていたガス分子が放出されて、荷電ビーム照射領域の真空度を悪化させてしまい、求められる所定の性能での処理が行えないという問題点も従来からあった。従って、試料面やステージの構成部品の表面から荷電ビーム照射領域内に放出されるガスの量を大幅に減少させかつ放出ガスを迅速に排気することが求められている。
【０１３６】
本実施例の一つの目的は、ステージのアクチュエータやガイド機構等の構造を大気中に設けることにより、荷電ビーム装置をコンパクトで低い製造コストで製造可能なものとすることである。
【０１３７】
他の目的は、試料や荷電ビームの光学系といった真空環境が必要な箇所のみを真空に維持して、試料及び荷電ビーム光学系等がパーティクルや放出ガスで汚染されないようにすることである。
【０１３８】
別の目的は、試料面やステージの構成部品の表面から真空中に放出されるガスの量を従来より大幅に減少させることができる荷電ビーム装置を提供することである。
さらに、別の目的は、試料面やステージの構成部品の表面から真空中に放出されるガスの量を従来より大幅に減少させることができるような、荷電ビーム装置内に試料を搬送する方法を提供することである。
【０１３９】
本実施例に係る荷電ビーム装置においては、ステージ上に置かれた試料の表面に荷電ビームを照射する装置において、荷電ビームが照射される箇所の近傍のみを所定の真空度に保つために、荷電ビームが照射される領域を中心として少なくとも一重の差動排気構造を設け、さらに、前記差動排気構造の外周側に、不活性ガスを試料面に対して噴出する構造を設けるようにしている。このように構成したことにより、ステージは大気中で使用するものを利用できることとなり、荷電ビーム装置をコンパクトで低い製造コストで製造可能なものとすることができる。更に、大気側から試料面にパーティクルが侵入することを防止すると共に、試料が大気に直接触れる機会を減少させることができ、荷電ビーム照射領域での放出ガスを減少させることができる。
【０１４０】
本実施例に係る荷電ビーム装置の別の変形例において、不活性ガスを噴出する構造は、試料面に噴出された不活性ガスが荷電ビーム照射領域を中心として主に外側方向に流出するように形成されている。これによって、差動排気部の真空排気が容易になり、差動排気構造をコンパクトに形成したり、差動排気用の真空ポンプを小容量のものとすることが可能になる。
【０１４１】
荷電ビーム装置の別の変形例において、差動排気構造は、高い真空度の差動排気通路と、低い真空度の差動排気通路とを備え、これらの差動排気通路は、前記差動排気構造の下流側では相互に連通しかつ連通後は同一の配管を介して排気するようにされ、前記差動排気構造の上流側では前記高い真空度の差動排気通路よりも前記低い真空度の差動排気通路の方が排気抵抗が大きくなるように形成されている。これによって、差動排気通路及び／又は真空ポンプの数を少なくすることができ、荷電ビーム装置の小型化、低コスト化を達成することが可能となる。
【０１４２】
荷電ビーム装置の別の変形例において、差動排気構造の下に入り込むステージの表面が、ステージ上に載置された試料の表面と同一の高さになるように、ステージに更なる微調整用の高さ調整機構が設けられている。これによって、試料面とステージの表面との間に段差がなくなり、ステージの可動範囲全域において差動排気部とステージ間の隙間が一定に維持されるのでステージの可動範囲全域で差動排気機能を正常に動作させることが可能となる。
【０１４３】
荷電ビーム装置の別の変形例において、試料を所定の位置に移動させるステージが移動する範囲の全体もしくは試料の可動範囲を、不活性ガスが充満した容器で常に覆うようにした。このように構成したことにより、試料面へ侵入するパーティクルをさらに減少することができると共に、試料面やステージが大気に暴露されないため、試料面やステージ構成部品の表面から真空中に放出されるガス量をさらに減少させることが可能である。
【０１４４】
荷電ビーム装置の別の変形例において、不活性ガスが充満した容器には、締切弁を介して真空容器が連接されており、試料は前記真空容器を介して前記不活性ガスが充満した容器内に出入りされるようにしている。即ち、試料を真空容器に挿入した後、真空容器を所定の圧力まで真空排気し、次に真空容器内に高純度の不活性ガスを導入した後、締切弁を開けて、高純度の不活性ガスで充満された真空容器内のステージに試料を設置するようにした。このような構成と手順により、試料はまず真空容器内に置かれて一旦真空排気され、その表面からガスが大量に放出されて清浄になり、その後真空容器内に高純度不活性ガスが導入されることにより、試料は高純度不活性ガス中をステージまで搬送される。従って、試料が荷電ビーム照射領域に挿入されて真空環境内に置かれても、試料の表面からは高純度不活性ガスが放出されるだけである。高純度不活性ガスは物体の表面との吸着エネルギーが非常に小さいために極短時間で試料の表面から放出されるので、荷電ビーム照射領域の真空度を悪化させることがない。このように、荷電ビーム照射領域を高い真空度に維持しやすくなり、また、試料面を汚染する恐れも減少させることができる。
【０１４５】
荷電ビーム装置の別の変形例において、試料面に噴出された不活性ガスが、真空ポンプ及び／またはコンプレッサにより回収されかつその後加圧されて、再度試料面に噴出されるように、不活性ガスの循環機構を設けている。これにより、高純度不活性ガスを再利用できるので、高純度不活性ガスを節約でき、また、本装置が設置された室内に高純度不活性ガスを排出しないので高純度不活性ガスによる窒息等の事故が発生する危険性も解消する。ここで、不活性ガスとしては、窒素（Ｎ２）、アルゴン（Ａｒ）及びキセノン（Ｘｅ）等が挙げられる。
【０１４６】
本実施例の別の変形例は試料の搬送方法を提供するものである。即ち、上記のような不活性ガスが充満した容器に締切弁を介して真空容器が連結された荷電ビーム装置を用意することと、試料を前記荷電ビーム装置の真空容器内に挿入した後、前記真空容器を所定の圧力まで真空排気することと、前記真空容器内に不活性ガスを導入した後、締切弁を開放して、不活性ガスが充満した容器内のステージに前記試料を設置することとを備えている。このような方法により荷電ビーム照射領域を高い真空度に維持しやすくすることができる。
【０１４７】
更に別の変形例は、上記のような荷電ビーム装置もしくは試料の搬送方法の発明を利用して、半導体ウェハの表面の欠陥を検査するウェハ欠陥検査装置を提供するものである。これにより、低いコストで、設置面積および占有面積が小さく、かつ信頼性の高いウェハ欠陥検査装置を提供することができる。
【０１４８】
別の変形例は、上記のような荷電ビーム装置もしくは試料の搬送方法を利用して、半導体ウェハの表面に半導体デバイスの回路パターンを露光する露光装置を提供するものである。これにより、低いコストで設置面積及び占有面積が小さく信頼性の高い荷電ビーム露光装置を提供することができる。
【０１４９】
別の変形例は、上記のような荷電ビーム装置もしくは試料の搬送方法を利用した半導体製造方法を提供するものである。これにより、半導体製造方法の低コスト化を図ることができる。
【０１５０】
以下図面を参照して、本実施例に係る荷電ビーム装置について詳細に説明する。
図１９は、荷電ビーム装置の実施形態を示す図であり、荷電ビーム装置の一部を拡大して示している。符号５００１は荷電ビーム５０５０を試料５００２に照射するための光学系を収容する公知の構造の鏡筒であり、その先端部のみが示されている。鏡筒５００１の先端部を囲むようにして、差動排気部５００４が取り付けられている。差動排気部５００４の中心部の穴５０４１は、荷電ビーム５０５０に影響を与えない程度の大きさが必要である。試料５００２はステージ５００３上に載置されており、ステージ５００３と共に移動する。差動排気部５００４と試料の表面（以下試料面と呼ぶ）５０２１との間に数ミクロンから数百ミクロン程度の微少隙間が維持されるように、鏡筒５００１は装置の架台（図２４）に固定されている。なお、鏡筒中の光学系は本発明の要旨ではないので詳細な説明は省略する。
【０１５１】
差動排気部５００４には、中心から半径方向外側に向かって、差動排気用の環状溝５００５及び５００６が形成されており、それぞれ真空配管５００８及び５００９に連通されている。差動排気部５００４の外周側から荷電ビームに向かって流入してくるガスを環状溝５００５及び５００６を介して真空排気することによって、荷電ビーム照射領域に漏洩してくるガスの流量を許容以下に抑え、荷電ビーム領域を所定の真空度に維持する。このため、環状溝５００５が環状溝５００６より高い真空度になりかつ荷電ビーム照射領域へのガスの漏洩量が許容以下になるように、または荷電ビーム照射領域よりも環状溝５００５の方が高い真空度になるように、環状溝５００５の形状、環状溝５００５の排気流路の形状、試料面５０２１と差動排気部５００４の間の隙間５０５１、真空配管及び真空ポンプの性能が適宜決定される。差動排気を行うための環状溝は差動排気構造を構成し、これらは図１９では二重に形成されているがこれに限定されるものではなく、荷電ビーム照射領域の真空度の程度及び環状溝や真空配管等の構成により一重で形成してもよく、三重以上で形成してもよい。
【０１５２】
差動排気部５００４の環状溝５００６の外周側には更に環状溝５００７が形成されており、配管５０１０に連通されている。この配管５０１０を通じて高純度不活性ガスが供給され、環状溝５００７から試料面に噴出される。噴出された高純度不活性ガスの一部は環状溝５００６により吸引されて荷電ビーム照射領域へ排出され、残りはその反対方向に流れて差動排気部の外周から外へ排出される。このように、高純度不活性ガスが外側に向かって流れてシールドとして作用するため、大気は高純度不活性ガスの流れに妨げられて荷電ビーム照射領域へ流れ込むことがない。この高純度不活性ガスによるシールド機構を設けなければ、外気の流入によってパーティクルや大気中の水蒸気等が荷電ビーム照射領域に侵入し、試料面や鏡筒５００１内のレンズ等を汚染し、荷電ビームによるウェハの検査やウェハ上へのパターンの露光等の作業に対して悪影響を与えるおそれがある。これに対して、本発明のような高純度不活性ガスを噴出させる機構を設けることにより、パーティクルや大気中の水蒸気等の侵入が妨げられるので、試料やレンズ等を汚染することがなくなり、ウェハの検査や露光等の作業が問題なく行える。
【０１５３】
なお、符号５００４ａ（図２０）で示すように、差動排気部５００４の外径を外側に延長し、試料面を覆う面積を大きくすることにより、パーティクルや水蒸気を更に侵入しにくくさせる効果を奏することができる。
【０１５４】
図２０は荷電ビーム装置の別の変形例を示している。この変形例では、高純度不活性ガスの噴出口５００７ａの向きを外周側に向けて形成しており、従って、ガスは試料面５０２１と差動排気部５００４との間で矢印Ａの方向に、勢い良く外側に流れる。高純度不活性ガスの噴出口５００７ａの形状をこのように形成し、かつ高純度不活性ガスの供給圧力を大気圧に対して適切な値まで加圧して高純度不活性ガスの噴出速度を適切な値に設定することにより、高純度不活性ガスの流れがエジェクタのような作用をして矢印Ｂのような流れが発生し、差動排気部５００４の内径側を負圧に維持することができる。それにより、外気側のパーティクルや水蒸気等の汚染物質が侵入する可能性を更に低減することが可能となると共に、真空排気の効果も得られるため、差動排気機構における真空排気の負荷を軽減することができ、差動排気部５００４、真空配管５００８及び５００９、及び真空ポンプの小型化を図ることが可能となる。
【０１５５】
また、差動排気部５００４にベーキング用ヒータＢＨを設けて差動排気部を加熱し、環状溝５００５及び５００６から真空配管５００８及び５００９へ流れるガスを加熱膨張させ、排気効率を高めて、差動排気による高真空度を更に容易に達成できるようにしてもよい。
【０１５６】
図２１は、荷電ビーム装置の別の変形例を示している。この変形例では、差動排気部５００４に真空室５０１１を設けてあり、この真空室５０１１は高真空側の排気通路５００５ａと低真空側の排気通路５００６ａに連通している。また、差動排気用の高真空側の環状溝５００５及び低真空側の環状溝５００６は、それぞれ高真空側の排気通路５００５ａ及び低真空側の排気通路５００６ａに連通しており、真空室５０１１は真空配管５００８ａにより真空に保たれている。
【０１５７】
低真空側の排気通路５００６ａは高真空側の排気通路５００５ａに対してコンダクタンスが極めて小さく形成されている。従って、それぞれの排気通路５００５ａ及び５００６ａの下流側の圧力は双方とも真空室５０１１内の圧力となっていて同一であるが、上流側での環状溝５００５及び５００６の圧力は相互に大きく相違し、環状溝５００６は低真空度を、環状溝５００５は高真空度をそれぞれ維持し、差動排気が適切に行えるようになっている。
【０１５８】
このように排気通路を形成することにより、真空配管が５００８ａのみで済むことになり、装置の小型化及び低コスト化を図ることができる。
図２２は、荷電ビーム装置の更に別の変形例を示しており、図２２ａは鏡筒がステージの一端部の近傍に位置している状態を、図２２ｂは鏡筒がステージの他端部の近傍に位置している状態を示す。この変形例では、ステージの表面５０３１に試料５００２が載置されており、試料５００２の周囲には板状部材５０６０及び５０６１が取り付けられている。板状部材５０６０及び５０６１は、それら板状部材の上面５６０１及び５６１１が試料の表面５０２１と同一の高さとなるように、ステージの表面５０３１からの高さが調整されている。このような高さ調整機構を取り付けることにより、ステージが移動したり、ステージに対する鏡筒の位置が５００１'や５００１''で示される位置（図２２ａ及び図２２ｂ）に移動しても、差動排気部５００４'（又は５００４''）とステージの表面５０３１もしくは試料面５０２１との間の隙間５０５１'（又は５０５１''）は常に一定に維持されるため、差動排気が適切に行われ荷電ビーム照射領域は常に所定の真空度を維持することができる。
【０１５９】
図２３は、荷電ビーム装置の更に別の変形例を示している。それぞれ厚さが異なる多くの試料を連続的に処理する場合は、試料の厚さに応じて容易に高さ調整を行うことが必要である。そのため、本変形例では、ステージ５００３の凹部５０３２内に配置された、試料を支持固定する試料台（本実施形態では例えば、静電チャックによる試料固定台）５０６３の下に上下機構５０６２が設けられている。上下機構５０６２を試料５００２の高さに応じて上下することによりステージの表面と試料面との高さが一致するように調整される。試料面とステージの表面との高さのずれは小さいほど良く、サブミクロンの程度にすることが好ましい。このため、上下機構としては圧電素子を使った微小調整機構等が設けられてもよい。上下機構の調整範囲を越えるような厚さの試料を処理する場合には、試料台５０６３の側部に調整部材５０６０'及び５０６１'を設け、この調整部材を試料の厚さに合わせて交換するようにしてもよい。
【０１６０】
なお、調整部材５０６０'及び５０６１'は、試料とステージの形状に応じて、単一部品であってもよく、或いは２個以上の部品に分割してもよい。また、調整部材５０６０'、５０６１'及び上下機構５０６２は、試料が例えば８インチサイズのウェハから１２インチサイズのウェハまで大きさが変化しても、その試料の大きさに合わせて部品交換するだけでいずれの大きさにも対応できるように構成することが望ましい。
【０１６１】
図２４は、荷電ビーム装置の別の変形例を示している。ステージ５００３の上に試料５００２が載置されており、試料はステージ５００３の移動に伴って、可動範囲Ｌで示された範囲を移動する。一方、鏡筒５００１は架台５０１４に固定されており、鏡筒５００１の先端にはその先端を囲繞するように差動排気部５００４が設けられ、差動排気部５００４と試料面５０２１又はステージの表面５０３１との間で差動排気と高純度不活性ガスの吹き付けが行われる。そして、試料５００２の可動範囲Ｌを完全に覆うように容器５０１２がステージ５００３上に取り付けられ、試料面５０２１又は板状部材５０６０，５０６１と容器５０１２の下面との間には微小な隙間５０５２が設けられている。差動排気部５００４から吹き出された高純度不活性ガスは、差動排気部５００４と試料面５０２１又は板状部材５０６０，５０６１との間の隙間５０５１を通って容器５０１２の中に吹き出し、それと同量のガスが微小な隙間５０５２から容器５０１２の外に吹き出される。
【０１６２】
このような構成にすることにより、容器５０１２の中は常時高純度不活性ガスで充満され、微小な隙間５０５２から外気が侵入することもなく、清浄に保たれる。従って、容器５０１２内を試料が移動しても、試料はパーティクルや水蒸気等により汚染されるおそれもなくなり、荷電ビーム照射領域を高度の真空状態に安定させ易くなり、試料面や鏡筒のレンズ等を汚染するおそれもなくなり、装置の信頼性や稼働率を向上することができる。
【０１６３】
図２５は、荷電ビーム装置の別の変形例である。この変形例では、容器５０１５は、図２４の場合とは異なり試料の可動範囲のみならずステージ５００３を完全に包囲するように形成され、差動排気部５００４から吹き出された高純度不活性ガスは排出管５０１６を通って排出される。このような構成も図２４の変形例と同様な効果を奏するが、それ以上に、容器５０１５がステージ５００３を完全に覆っているため、外気からパーティクルや水蒸気等の汚染物質が侵入する可能性を完全に除去することができ、装置の信頼性や稼働率を更に向上することができる。
【０１６４】
なお、図２４の容器５０１２及び図２５の容器５０１５とも、それらの内部の圧力は、隙間５０５２又は排出管５０１６から高純度不活性ガスが排出されるべく大気圧より若干高めにする程度でよいため、容器はカバー程度の簡単な構造で十分であり、これらの容器を設けても装置の大きさやコストへ与える影響は小さい。
【０１６５】
図２６は、荷電ビーム装置の別の変形例を示している。本変形例は、図２５に示された変形例と同様にステージ５００３を完全に覆いかつ内部に高純度不活性ガスを満たした容器５０１７を設けており、この容器５０１７には、試料のロード及びアンロードを行う真空容器５０２７が連接されている。真空容器５０２７には、真空配管５０２９と高純度不活性ガスの供給配管５０３０が接続されており、更に容器５０１７との間には締切弁５０２８が設けられている。
【０１６６】
本変形例のこのような構成において、荷電ビーム装置は以下のような方法で処理を行う。
まず、真空容器５０２７の開閉蓋（図示されていない）を開けて、荷電ビームにより処理を行いたい試料５００２を真空容器５０２７の中に入れ、開閉蓋を気密に閉鎖し、真空配管５０２９により真空容器５０２７を所定の真空度まで排気する。次に、高純度不活性ガスを供給配管５０３０から供給して真空容器内を高純度不活性ガスで満たす。真空容器５０２７の内圧が容器５０１７の内圧と同じ圧力になったとき、締切弁５０２８を矢印Cの方向に動かして試料５００２を容器５０１７の中に入れ、試料搬送機構（図示せず）によって試料５００２をステージ５００３の所定位置に載置する。即ち、試料を真空容器５０２７に挿入した後、真空容器５０２７を所定の圧力まで真空排気し、次に真空容器５０２７内に高純度の不活性ガスを導入した後、締切弁を開けて、高純度の不活性ガスで充満された真空容器内のステージ５００３に試料５００２を設置する。その後、ステージ５００３を移動させて試料５００２を荷電ビーム照射領域に移送し荷電ビームによる処理を行う。
【０１６７】
このようにすれば、真空排気により清浄になった試料面５０２１は、荷電ビーム照射領域に搬送されるまで高純度の不活性ガスで常時覆われており、大気に曝されることがない。従って、荷電ビーム照射領域に試料が搬入されて、再度真空環境に曝されても、試料面５０２１から放出されるガスは、試料面を覆っていた高純度不活性ガスだけであるため極短時間で排気されてしまい、荷電ビーム照射領域の真空度は悪化しない。このように荷電ビーム照射領域を高い真空度に維持しやすくなり、試料面を汚染するおそれも減少させることができる。
【０１６８】
図２７は、荷電ビーム装置の真空排気経路の一つの実施形態を図解的に示したものである。この実施形態では、鏡筒５００１の内部を真空排気するための配管５０１３が超高真空ポンプ５０１８に接続されている。更に、差動排気部５００４の高真空用配管５００８は超高真空ポンプ５０２０に接続されており、低真空用配管５００９は超高真空ポンプ５０２０の粗引き配管に接続されて粗引きポンプ５２０１により排気される。更に、高純度不活性ガスとして、例えば、窒素ガスが窒素ガス源５０２２から配管５０１０を介して差動排気部５００４に供給される。
【０１６９】
図２８は、荷電ビーム装置の真空排気経路の別の変形例を図解的に示したものである。この変形例では、鏡筒５００１を真空排気する配管５０１３と差動排気部５００４の高真空用配管５００８とを合流させて超高真空ポンプ５０１８に接続して超高真空ポンプ５０１８で排気するようにし、一方、差動排気部５００４の低真空用配管５００９を超高真空ポンプ５０１８の粗引き配管に接続させて粗引きポンプ５０１９により排気するようにしている。このような構成により、図２７の実施形態よりも真空ポンプの数を減少させることができる。
【０１７０】
なお、上記超高真空ポンプとしては、例えば、ターボ分子ポンプやイオンポンプ等が適用でき、粗引きポンプとしては、例えば、ドライポンプやダイヤフラムポンプ等が適用できる。
【０１７１】
図２９は、荷電ビーム装置の別の変形例を示したものであり、不活性ガスの循環経路を図解的に示している。高純度不活性ガスが満たされた容器５０１５内に、鏡筒５００１に設けられた差動排気部５００４から高純度不活性ガスが供給される。供給された高純度不活性ガスは排出管５０１６を介して容器５０１５から排出され、コンプレッサ５０２３により加圧される。加圧された高純度不活性ガスは配管５０２５を介してコールドトラップや高純度フィルタ等のガス浄化装置５０２４へ送られて清浄化された後、配管５０１０を介して再度差動排気部５００４に送られかつ容器５０１５内に供給される。この場合、ガス浄化装置は、ガスを循環させても純度の劣化に問題がない場合は設けなくてもよい。
【０１７２】
差動排気部５００４から供給される高純度不活性ガスは、差動排気機構によって吸引され、低真空用配管５００９及び高真空用配管５００８を介して超高真空ポンプ５０２０及び粗引きポンプ５２０１により排気される。粗引きポンプ５２０１の排気側に設けられた配管５０２６はコンプレサ５０２３の排気側の配管５０２５に接続されているので、この経路を通った高純度不活性ガスも配管５０１０を介して再度差動排気部５００４に供給される。
【０１７３】
このようにして、高純度不活性ガスを循環させて再利用できるので高純度不活性ガスを節約でき、また、本装置が設置された室内に高純度不活性ガスを排出することもないため、不活性ガスによる窒息等の事故が発生するおそれも解消する。
【０１７４】
次に、図３０を参照して、本実施例に係る写像投影型の荷電ビーム装置をウェハ欠陥検査装置に適用した一つの変形例について説明する。
本変形例において、一次光学系の鏡筒５０７０の電子銃５０７１で生成された電子ビームＥはレンズ群５０７２を通って所定の断面形状に成形される。成形された電子ビーム（荷電ビーム）５０５０は、ウィーンフィルタ５０７３により軌道を変更され、被検査試料であるウェハ５００２に垂直に入射する。それにより試料面から二次電子が放出され、この二次電子は対物レンズ５０７４により加速されてウィーンフィルタ５０７３を直進した後、レンズ部５０７５で拡大されて検出部５０７６に写像投影される。検出部５０７６では二次電子の投影画像を生成する。この画像は画像処理され、必要に応じて他の箇所の画像と比較され、ウェハの表面に欠陥があるか否かが判定され、所定の方法でその結果を装置に記録し且つ表示する。
【０１７５】
差動排気部５００４，容器５０１５、真空配管５００８および５００９、及び高純度不活性ガス供給用の配管５０１０等の構成及びそれらの作用は上述の図１９ないし図２９に関連して説明した実施形態のものと同様である。高純度不活性ガスは図中の矢印Ｄで示されているように容器５０１５内を流れ、排出管５０１６から排出される。
【０１７６】
本実施例によれば、以下のような効果を奏することが可能である。
（１）真空環境が必要な箇所のみを真空に維持することが可能なため、ステージは大気中で使用するものを利用でき、荷電ビーム装置をコンパクトで低い製造コストで製造可能なものとすることができる。
（２）大気側から試料面にパーティクルが侵入することを防止すると共に、試料が大気に直接触れる機会を減少させることができるため、試料及び荷電ビーム光学系等がパーティクルや水蒸気等で汚染されることを防止できる。
（３）試料面やステージの構成部品の表面から真空環境内に放出されるガスの量を大幅に減少させることができるため、荷電ビーム照射領域を高い真空度に維持することが可能である。
（４）大気中で使用するステージをそのまま利用することができるので、ステージのガイドに対して静圧気体軸受を用いることも可能となり、リニアモータ等の高精度アクチュエータと組み合わせることにより、荷電ビーム装置用のステージを露光装置等で用いられる大気用の高精度ステージと同等の高精度にすることが可能である。
【０１７７】
次に図３１及び図３２を参照して本発明による半導体デバイスの製造方法の実施例を説明する。
図３１は、本発明による半導体デバイスの製造方法の一実施例を示すフローチャートである。この実施例の製造工程は以下の主工程を含んでいる。
（１）ウエハを製造するウエハ製造工程（又はウエハを準備するウエハ準備工程）（ステップ６４００）
（２）露光に使用するマスクを製造するマスク製造工程（又はマスクを準備するマスク準備工程）（ステップ６４０１）
（３）ウエハに必要な加工処理を行うウエハプロセッシング工程（ステップ６４０２）
（４）ウエハ上に形成されたチップを１個ずつ切り出し、動作可能にならしめるチップ組立工程（ステップ６４０３）
（５）できたチップを検査するチップ検査工程（ステップ６４０４）
なお、上記のそれぞれの主工程は更に幾つかのサブ工程からなっている。
【０１７８】
これらの主工程中の中で、半導体デバイスの性能に決定的な影響を及ぼすのが（３）のウエハプロセッシング工程である。この工程では、設計された回路パターンをウエハ上に順次積層し、メモリやＭＰＵとして動作するチップを多数形成する。このウエハプロセッシング工程は以下の各工程を含んでいる。
（Ａ）絶縁層となる誘電体薄膜や配線部、或いは電極部を形成する金属薄膜等を形成する薄膜形成工程（ＣＶＤやスパッタリング等を用いる）
（Ｂ）この薄膜層やウエハ基板を酸化する酸化工程
（Ｃ）薄膜層やウエハ基板等を選択的に加工するためにマスク（レチクル）を用いてレジストパターンを形成するリソグラフィー工程
（Ｄ）レジストパターンに従って薄膜層や基板を加工するエッチング工程（例えばドライエッチング技術を用いる）
（Ｅ）イオン・不純物注入拡散工程
（Ｆ）レジスト剥離工程
（Ｇ）加工されたウエハを検査する工程
なお、ウエハプロセッシング工程は必要な層数だけ繰り返し行い、設計通り動作する半導体デバイスを製造する。
【０１７９】
図３２は、図３１のウエハプロセッシング工程の中核をなすリソグラフィー工程を示すフローチャートである。このリソグラフィー工程は以下の各工程を含む。
（ａ）前段の工程で回路パターンが形成されたウエハ上にレジストをコートするレジスト塗布工程（ステップ６５００）
（ｂ）レジストを露光する工程（ステップ６５０１）
（ｃ）露光されたレジストを現像してレジストのパターンを得る現像工程（ステップ６５０２）
（ｄ）現像されたレジストパターンを安定化するためのアニール工程（ステップ６５０３）
上記の半導体デバイス製造工程、ウエハプロセッシング工程、リソグラフィー工程については、周知のものでありこれ以上の説明を要しないであろう。
【０１８０】
上記（Ｇ）の検査工程に本発明に係る欠陥検査方法、欠陥検査装置を用いると、微細なパターンを有する半導体デバイスでも、スループット良く検査できるので、全数検査も可能となり、製品の歩留まりの向上、欠陥製品の出荷防止が可能と成る。
【０１８１】
上記(Ｇ)の検査工程における検査手順について述べる。
一般に電子線を用いた欠陥検査装置は高価であり、またスループットも他のプロセス装置に比べて低いために、現状では最も検査が必要と考えられている重要な工程（例えばエッチング、成膜（メッキを含む）、又はＣＭＰ（化学機械研磨）平坦化処理等）の後に使用されている。
【０１８２】
検査されるウェーハは大気搬送系及び真空搬送系を通して、超精密Ｘ−Ｙステージ上に位置合わせ後、静電チャック機構等により固定され、以後、（図３３の検査フロー）の手順に従って欠陥検査等が行われる。はじめに光学顕微鏡により、必要に応じて各ダイの位置確認や、各場所の高さ検出が行われ記憶される（ステップ７００１）。光学顕微鏡はこの他に欠陥等の見たい所の光学顕微鏡像を取得し、電子線像との比較等にも使用される。次にウェーハの種類（どの工程後か、ウェーハのサイズは２０ｃｍか３０ｃｍか等）に応じたレシピの情報を装置に入力し（ステップ７００２）、以下検査場所の指定（ステップ７００３）、電子光学系の設定、検査条件の設定等（ステップ７００４）を行なった後、画像取得を行ないながら通常はリアルタイムで欠陥検査を行なう（ステップ７００５）。セル同士の比較、ダイ比較等が、アルゴリズムを備えた高速の情報処理システムにより検査が行なわれ、必要に応じてＣＲＴ等に結果を出力や、メモリーへ記憶を行なう（ステップ７００６）。欠陥にはパーティクル欠陥、形状異常（パターン欠陥）、及び電気的欠陥等（配線又はビア等の断線及び導通不良等）が有り、これらを区別したり欠陥の大きさや、キラー欠陥（チップの使用が不可能になる重大な欠陥等）の分類を自動的にリアルタイムで行うことも出来る。電気的欠陥の検出はコントラスト異状を検出することで達成される。例えば導通不良の場所は電子線照射（５００ｅＶ程度）により、通常正に帯電し、コントラストが低下するので正常な場所と区別ができる。この場合の電子線照射手段とは、通常検査用の電子線照射手段以外に別途、電位差によるコントラストを際立たせるために設けた低電位（エネルギー）の電子線発生手段（熱電子発生、ＵＶ／光電子）を含む。検査対象領域に検査用の電子線を照射する前に、この低電位（エネルギー）の電子線を発生・照射している。検査用の電子線を照射すること自体正に帯電させることができる写像投影方式の場合は、仕様によっては、別途低電位の電子線発生手段を設ける必要はない。また、ウェーハ等の試料に基準電位に対して、正又は負の電位をかけること等による（素子の順方向又は逆方向により流れ易さが異なるために生じる）コントラストの違いから欠陥検出が出来る。これは、線幅測定装置及び合わせ精度測定にも利用できる。
【０１８３】
検査試料の電気的欠陥を検査する方法としては、本来電気的に絶縁されている部分とその部分が通電状態にある場合では、その部分の電位が異なることを利用することもできる。
【０１８４】
それは、まず、試料に事前に電荷を付与することで、本来電気的に絶縁されている部分の電位と、本来電気的に絶縁されている部分であるが、何らかの原因で通電状態にある部分の電位とに電位差を生じさせ、その後本発明のビームを照射することで、電位差があるデータを取得し、この取得データを解析して、通電状態となっていることを検出する。
【０１８５】
上記各実施例において、電子ビームが発生すると、近接相互作用（表面近くでの粒子の帯電）により標的物質が浮遊して高電位領域に引きつけられるので、電子ビームの形成や偏向に使用される様々な電極の表面には絶縁体としての有機物質が堆積する。このように、電極の表面の帯電により徐々に当該電極の表面に堆積していく絶縁体は電子ビームの形成や偏向機構に悪影響を及ぼすので、堆積した絶縁体は周期的に除去しなければならない。絶縁体の周期的な除去は次のようにして行う。すなわち、絶縁体の堆積する領域の近傍の電極を利用して、真空中で水素や酸素あるいはフッ素及びそれらを含む化合物ＨＦ，Ｏ２，Ｈ２Ｏ，ＣＭＦＮ等のプラズマを作り出し、空間内のプラズマ電位を電極面にスパッタが生じる電位(数ｋＶ、例えば２０Ｖ〜５ｋＶ)に維持することで、有機物質のみ酸化、水素化、フッ素化により除去する。
【０１８６】
なお、本願は上記実施例に限定されるものではなく、例えば、上記実施例の要素を任意に組み合わせても良い。
本願の検査とは、単に欠陥等の不良状態の有無を検出するだけでなく、検査結果の評価も行う場合も含む。
【０１８７】
本願発明は、以下のように構成されている。
１．電子銃から放出された一次電子線を所望の形状に成形し、該成形された一次電子線を検査されるべき試料面上に照射する一次電子光学系と、
前記試料から放出された二次電子を拡大投影する二次電子光学系と、
前記拡大投影された二次電子像を蛍光板を介して光の像に変換し、ラインセンサで撮像する検出装置と、
前記ラインセンサに設けられた画素列において撮像されたライン画像を転送するときの電荷移動時間を、試料を移動させるステージの移動速度に連動して制御する制御装置とを備えた写像投影型の電子線検査装置。
２．請求項１に記載の電子線検査装置において、
前記制御装置は、前記ラインセンサの電荷移動時間を前記一次及び二次の電子光学系の倍率の変動に連動して制御する電子線検査装置。
３．請求項１に記載の電子線検査装置において、
前記検出装置は、前記蛍光板の前段に配置された、前記二次電子光学系の二次電子を増倍するマイクロチャンネルプレートを備えている電子線検査装置。
４．請求項１に記載の電子線検査装置において、
前記ステージの位置を測定するレーザ干渉計を更に備えている電子線検査装置。
５．請求項１ないし４のいずれかに記載の電子線検査装置を使用してプロセス途中のウェハの評価を行うことを特徴とする、デバイス製造方法。
６．電子銃から放出された一次電子線をを検査すべき試料面上に照射する一次電子光学系と、
前記試料から放出された二次電子を拡大投影する二次電子光学系と、
前記拡大投影された二次電子像に基づいて画像信号を生成する第１の検出器と、
前記一次電子線を前記試料面上で走査する偏向器と、
前記走査された一次電子線の前記試料面上への照射により、前記試料から放出された二次電子に基づいて画像信号を生成する第２の検出器とを備えた多目的電子線検査装置。
７．請求項６に記載の多目的電子線検査装置において、
前記第１の検出器から出力される前記画像信号に基づいて、試料表面の欠陥検出、試料表面の欠陥レビュー、及び試料表面上のパターン電位測定のうちの少なくとも一つを行うことができる多目的電子線検査装置。
８．請求項６に記載の多目的電子線検査装置において、
前記第２の検出器から出力される前記画像信号に基づいて、試料表面の欠陥検出、試料表面の欠陥レビュー、試料表面上のパターン線幅測定、及び試料表面上のパターン電位測定うちの少なくとも一つを行うことができる多目的電子線検査装置。
９．請求項６に記載の多目的電子線検査装置において、
試料表面の欠陥検出、試料表面の欠陥レビュー、試料表面上のパターン線幅測定、及び試料表面上のパターン電位測定のうち少なくとも２つを行うことができる多目的電子線検査装置。
１０．請求項９に記載の多目的電子線検査装置において、
前記試料表面の欠陥検出は、画像信号により得られる画像をパターンデータと比較するか又はダイ同士の画像を比較することにより行われ、
試料表面の欠陥レビューは、ウエハ表面上における１次電子線の走査と同期させたモニター上のビームの走査により得られる画像観察により行われ、
試料表面上のパターン線幅測定は、ウエハ表面上における１次電子線の走査がパターンの短辺方向に行われるときの２次電子像により行われ、
パターン電位測定は、試料表面に最も近い電極に負の電位を与え試料表面の高い電位を持つパターンから放出される２次電子を選択的に試料側へ追い戻すことにより行われる多目的電子線検査装置。
１１．１次電子線を試料に照射し試料表面から発生する２次電子を検出することにより試料ステージ上の試料表面の状態を検査する多目的電子線検査装置であって、
１次電子線を矩形、円形、及びスポットの内の少なくとも２種類に成形可能なレンズ系と、
電子線を任意の方向に走査するための偏向系を有する１次電子光学系と、
試料から放出される２次電子を試料表面から検出器へ向わせる検出系と、
欠陥を自動的に検出すると共に欠陥の位置情報を出力し、更に上記欠陥の形状を観察可能にする制御部とを有する多目的電子線検査装置。
１２．請求項１乃至３のいずれか１項の多目的電子線検査装置を１以上の列に複数台ずつ配置し、それらの試料ステージを共通とし共通の試料ステージ上の試料を検査可能とした多目的電子線検査装置の組合せ。
１３．請求項６乃至１２のいずれか１項の多目的電子線検査装置又はその組合せを用いてプロセス途中の半導体ウエハを検査することを特徴とするデバイス製造方法。
１４．一次電子線により試料を照射する電子照射部と、
該一次電子線の照射により前記試料から生成された二次電子線を拡大投影して前記試料の画像を生成する二次光学系と、
該画像を受け取るマイクロチャンネルプレートと、
該マイクロチャンネルプレートの出力をシンチレータで光に変換した後、該光信号を電気信号へ変換するＴＤＩ−ＣＣＤと、
該ＴＤＩ−ＣＣＤの出力を処理する画像表示部と、前記試料を移動させるステージとを備え、
前記ステージによって前記試料を走査しており、
前記試料と前記マイクロチャンネルプレートとの間に配置された、前記画像を回転させる磁気レンズを備えた電子線検査装置。
１５．請求項１４に記載の電子線検査装置において、
前記磁気レンズが、前記光学系の終段のレンズと前記マイクロチャンネルプレートとの間に位置する電子線検査装置。
１６．請求項１５に記載の電子線検査装置において、
前記磁気レンズが、前記マイクロチャンネルプレートに最も近いクロスオーバー位置に配置される電子線検査装置。
１７．請求項１４に記載の電子線検査装置において、
前記磁気レンズが、前記終段のレンズに関して前記マイクロチャンネルプレートとは反対側の前記終段のレンズに最も近い結像位置に配置される電子線検査装置。
１８．請求項１４ないし１７のいずれか１項に記載の電子線検査装置を用いたことを特徴とするデバイス製造方法。
１９．電子銃からの１次電子線を試料表面に合焦させ走査させることによって試料から発生する２次電子を検出し試料表面の評価を行う電子線検査装置であって、
軸対称の中央電極と、中央電極より試料に近い方に配置される下側電極と、中央電極より電子銃に近い方に配置される上側電極とを有する、１次電子線を試料表面に合焦させるための静電レンズと、
試料表面上のパターンの電位コントラストを得る時に、下側電極に試料表面より低い電位の電圧を与える制御装置とを備える電子線検査装置。
２０．請求項１９に記載の電子線検査装置において、
電位コントラストを得る必要のない評価の時は、前記制御装置は、上記下側電極にアースに近い電圧を与える電子線検査装置。
２１．請求項２０に記載の電子線検査装置において、
下側電極に与える電圧を大きく変化させた時に生じる静電レンズの合焦条件のずれを、前記制御装置が、中央電極に与える正の高圧を変えることにより調整することを特徴とする電子線検査装置。
２２．請求項２０に記載の電子線検査装置において、
前記制御装置が、上側電極に与える電圧を調整することによって、静電レンズの合焦条件を高速に且つ小さく変化させることができる電子線検査装置。
２３．請求項１９に於いて上記電子銃、静電レンズ、走査手段、２次電子検出手段から成る光学系を複数同一試料上に配置し、試料上の検査を上記複数の光学系で同時に行うことを特徴とする電子線を用いた検査方法。
２４．請求項１９乃至２２のいずれか１項の電子線検査装置を用いてプロセス途中のウエハの評価を行うことを特徴とするデバイス製造方法。
２５．ステージ上に置かれた試料の表面に荷電ビームを照射する装置であって、
荷電ビームが照射される箇所の近傍のみを所定の真空度に保つために、荷電ビームが照射される領域を中心として設けられた少なくとも一重の差動排気装置と、
前記差動排気装置の外周側に、不活性ガスを試料面に対して噴出する不活性ガス噴出装置とを備えた荷電ビーム装置。
２６．請求項２５に記載の荷電ビーム装置において、
試料を所定の位置に移動させるステージが移動する範囲の全体もしくは試料の可動範囲を常に覆う、不活性ガスが充満した容器をさらに備えた荷電ビーム装置。
２７．請求項２６に記載の荷電ビーム装置において、
前記不活性ガスが充満した容器には、締切弁を介して真空容器が連接されており、
試料は、前記真空容器を介して前記不活性ガスが充満した容器内に出入り可能となっている荷電ビーム装置。
２８．請求項２７に記載の荷電ビーム装置を提供するステップと、
試料を前記荷電ビーム装置の真空容器内に挿入した後、前記真空容器を所定の圧力まで真空排気するステップと、
前記真空容器内に不活性ガスを導入した後、締切弁を開放して、不活性ガスが充満した容器内のステージに前記試料を設置するステップとを備えた試料の搬送方法。
２９．請求項２５ないし２７のいずれか１項に記載の荷電ビーム装置もしくは請求項２８に記載の搬送方法を使用して、半導体ウェハの表面の欠陥を検査するウェハ欠陥検査装置。
３０．請求項２９の装置を用いた半導体製造方法。
３１．試料を移動可能に保持するステージと、
試料の観察領域を一次電子線で一括して照射する照射装置と、
照射された試料の観察領域から発生した二次電子を、レンズ系を介して、電子線の画像として一括して結像させて検出する検出器と、
前記結像画像を電気信号に変換する変換装置と、
電気信号に変換された画像情報を記憶する記憶装置とを備えた写像投影型の電子線検査装置。
３２．請求項３１に記載の電子線検査装置において、
前記変換装置は、画素列を有するラインセンサを備えており、
さらに、前記画素列において撮像されたライン画像を転送するときの電荷移動時間を、試料を移動させるステージの移動速度に連動して制御する制御装置を備えた電子線検査装置。
３３．請求項３２に記載の電子線検査装置において、
さらに、
前記一次電子線を走査しながら試料を照射する偏向器と、
前記一次電子線の走査しながらの照射により、試料から発生した二次電子を検出する第２の検出器とを備えている電子線検査装置。
３４．請求項３２に記載の電子線検査装置において、
さらに、前記試料と前記検出器との間に配置された、前記画像を回転させる磁気レンズを備えた電子線検査装置。
３５．請求項３２に記載の電子線検査装置において、
さらに、１次電子線を試料の観察領域に合焦させるための静電レンズを備え、
前記静電レンズは、軸対称の中央電極と、中央電極より試料に近い方に配置される下側電極と、中央電極より電子銃に近い方に配置される上側電極とを有しており、
前記電子線検査装置は、さらに、試料の観察領域上のパターンの電位コントラストを得るために、下側電極に試料表面より低い電位の電圧を与える電圧付与装置を備える電子線検査装置。
３６．請求項３２に記載の電子線検査装置において、
一次電子線が照射される試料の観察領域の近傍のみを所定の真空度に保つために、一次電子線が照射される観察領域を中心として設けられた少なくとも一重の差動排気装置と、
前記差動排気装置の外周側に、不活性ガスを試料面に対して噴出する不活性ガス噴出装置とを備えた電子線検査装置。
【図面の簡単な説明】
【０１８８】
【図１】図１は、本発明の一実施例に係る写像投影方式の電子線検査装置の全体構成図を示す。
【図２】図２は、電子線検査装置におけるＥ×Ｂ偏向器（すなわち、電子ビーム偏向部）の詳細な構成を示した横断面図を示す。
【図３】図３は、図２におけるＡ−Ａ線に沿う縦断面構造を示した断面図を示す。
【図４】図４は、複数の一次電子線を二次元に走査しながら試料表面の観察領域を照射する、写像投影方式の電子線検査装置の全体構成図を示す。
【図５】図５は、図４に示す装置において一次電子線の照射方法を説明するための図である。
【図６】図６は、本発明の別の実施例に係る電子線検査装置を模式的に示す構成図である。
【図７】図７は、図６に示す電子線検査装置の制御装置をより詳細に示すブロック図である。
【図８】図８は、ウェハの検査の手順を示す図である。
【図９】図９は、ラインセンサの画素の配列を示す図である。
【図１０】図１０は、関連する技術の写像投影型電子線検査装置の構成を示す図である。
【図１１】図１１は、本発明のさらに別の実施例に係る写像投影型の電子線検査装置を示す構成図である。
【図１２】図１２は、本発明の別の実施例に係る写像投影型の電子線検査装置を概略的に示す図である。
【図１３】図１３（Ａ）及び図１３（Ｂ）は、図１２に示す磁気レンズの動作原理を説明する図である。
【図１４】図１４は、図１２に示す磁気レンズの配置例を示す図である。
【図１５】図１５は、図１２に示す磁気レンズの他の配置例を示す図である。
【図１６】図１６は、本発明の別の実施例に係る電子線検査装置の概略構成を示す図である。
【図１７】図１７は、図１６の電子線検査装置の鏡筒を変形し複数としたマルチ鏡筒の配置図である。
【図１８】図１８は、各電極及び試料に、それぞれ電圧を与えた時の軸上ポテンシャルの分布を示すグラフ。
【図１９】図１９は、本発明の電子線検査装置としての荷電ビーム検査装置に設けられる差動排気構造の一実施例を示した図である。
【図２０】図２０は、差動排気構造の変形例を示す図であって、高純度不活性ガスの噴出口の向きを外周側に向けて形成した状態を示す図である。
【図２１】図２０は、差動排気構造の変形例を示す図であって、高純度不活性ガスの噴出口の向きを外周側に向けて形成した状態を示す図である。
【図２２】図２２（ａ）は、差動排気構造の他の変形例を示す図であって、ステージに高さ調整用の部材を設けた図であり、鏡筒がステージの一端部の近傍に位置している状態を示す。図２２（ｂ）は、図２２（ａ）と同様のステージに高さ調整用の部材を設けた図であり、鏡筒がステージの他端部の近傍に位置している状態を示す。
【図２３】図２３は、本発明による荷電ビーム装置の変形例であって、ステージに高さ調整機構を設けた図である。
【図２４】図２４は、差動排気構造の他の変形例を示す図であって、ステージにより移動される試料の可動範囲を不活性ガスが充満した容器で覆った状態を示す図である。
【図２５】図２５は、差動排気構造の他の変形例を示す図であって、ステージが移動する範囲の全体を不活性ガスが充満した容器で覆った状態を示す図である。
【図２６】図２６は、差動排気構造の他の変形例を示す図であって、不活性ガスが充満した容器に真空室を連接した状態を示す図である。
【図２７】図２７は、差動排気構造の他の変形例を示す図であって、真空排気経路の一つの実施形態を図解的に示した図である。
【図２８】図２８は、差動排気構造の他の変形例を示す図であって、真空排気経路の別の変形例を図解的に示した図である。
【図２９】図２９は、差動排気構造の他の変形例を示す図であって、不活性ガスの循環経路を図解的に示した図である。
【図３０】図３０は、本発明の別の実施例に係る荷電ビーム装置をウェハ欠陥検査装置に適用した図である。
【図３１】図３１は、本発明による半導体デバイスの製造方法の一実施例を示すフローチャートである。
【図３２】図３２は、図３１のウエハプロセッシング工程の中核をなすリソグラフィー工程を示すフローチャートである。
【図３３】図３３は本発明の検査手順を示すフローチャートである。
【図１】
2011142090.tif 000003
【図２】
2011142090.tif 000004
【図３】
2011142090.tif 000005
【図４】
2011142090.tif 000006
【図５】
2011142090.tif 000007
【図６】
2011142090.tif 000008
【図７】
2011142090.tif 000009
【図８】
2011142090.tif 000010
【図９】
2011142090.tif 000011
【図１０】
2011142090.tif 000012
【図１１】
2011142090.tif 000013
【図１２】
2011142090.tif 000014
【図１３】
2011142090.tif 000015
【図１４】
2011142090.tif 000016
【図１５】
2011142090.tif 000017
【図１６】
2011142090.tif 000018
【図１７】
2011142090.tif 000019
【図１８】
2011142090.tif 000020
【図１９】
2011142090.tif 000021
【図２０】
2011142090.tif 000022
【図２１】
2011142090.tif 000023
【図２２】
2011142090.tif 000024
【図２３】
2011142090.tif 000025
【図２４】
2011142090.tif 000026
【図２５】
2011142090.tif 000027
【図２６】
2011142090.tif 000028
【図２７】
2011142090.tif 000029
【図２８】
2011142090.tif 000030
【図２９】
2011142090.tif 000031
【図３０】
2011142090.tif 000032
【図３１】
2011142090.tif 000033
【図３２】
2011142090.tif 000034
【図３３】
2011142090.tif 000035